(57)【要約】【課題】部品点数の増加を抑えるとともに、組付け性を損なうことなく証紙３３を視認可能にできる証紙シート３２、受け皿ユニット３０、及びスロットマシン１を提供することを目的とする。【解決手段】スロットマシン１の受け皿本体３１に装着され、証紙３３の貼付を許容する証紙シート３２であって、証紙シート３２を、遊技者と対面する前方部分３４１が傾斜した受け皿本体３１における前方部分３４１及び右側方部分３４２に形成されるとともに、前扉２に開口形成した開口部２ｂと連通する内部空間によって構成されたシート装着部Ｓに挿入した状態において、前方部分３４１に配置されて証紙３３の貼付を許容する第１シート部３２１と、右側方部分３４２に配置されて開口部２ｂから露出する第２シート部３２２とで構成するとともに、第１シート部３２１と第２シート部３２２とが斜交するように一体形成したことを特徴とする。【選択図】図５
2015100538.tif 000002
【特許請求の範囲】
【請求項１】
遊技媒体を貯留するとともに、証紙を視認可能にする表示窓を有する受け皿本体を前扉に設けた遊技機における前記受け皿本体に装着され、前記証紙の貼付を許容する可撓性の証紙シートであって、
該証紙シートを、
遊技者と対面する前面部分が傾斜した前記受け皿本体における前記前面部分及び前記前扉に当接する側面部分の内部に形成されるとともに、前記前扉に開口形成した開口部と連通する内部空間によって構成されたシート装着部に挿入した状態において、
前記前面部分に配置されて、所定の位置に前記証紙の貼付を許容する第１シート部と、
前記側面部分に配置されて、前記開口部から先端が露出する第２シート部とで構成するとともに、
前記第１シート部と前記第２シート部とが斜交するように一体形成した
証紙シート。
【請求項２】
前記証紙シートを、
前記前面部分における上端、または下端のうち遊技者側の一端と連続する側面部分の一端に対応する前記第２シート部における一辺の長さに対して、前記側面部分の他端に対応する第２シート部における一辺の長さを短く形成した
請求項１に記載の証紙シート。
【請求項３】
平面視における前記第１シート部を、
前記前面部分における前記遊技者側の一端が上端の場合、上方に向けて凸するように湾曲し、
前記遊技者側の一端が下端の場合、下方に向けて凸するように湾曲した形状に形成した
請求項１または請求項２に記載の証紙シート。
【請求項４】
前記証紙シートを、
透過性を有する透過性部材で構成するとともに、前記証紙の大きさよりも僅かに小さい範囲を除く部分を不透明色で着色して形成した
請求項１から請求項３のいずれか１つに記載の証紙シート。
【請求項５】
前記証紙シートを、弾性を有する弾性部材で構成し、
前記第２シート部の先端近傍に、開口形成した係止開口孔を備え、
該係止開口孔を、
前記前扉における前記開口部の近傍に、前記遊技機における外方側から内方側へ向けて形成した係止部に係止可能な構成とした
請求項１から請求項４のいずれか１つに記載の証紙シート。
【請求項６】
請求項１から請求項５のいずれか１つに記載の証紙シートと、
該証紙シートに貼付した証紙と、
遊技機の前扉に設けるとともに、遊技者と対面する前面部分が傾斜した受け皿本体とで構成し、
前記受け皿本体に、
前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備えた
受け皿ユニット。
【請求項７】
可撓性を有する略帯状の証紙シートと、
該証紙シートに貼付した証紙と、
遊技機の前扉に設けるとともに、遊技者と対面する前面部分が傾斜した受け皿本体とで構成し、
前記受け皿本体に、
前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備え、
前記シート装着部を、
前記前面部分に対応する部分に対して前記側面部分に対応する部分が斜交するように形成した
受け皿ユニット。
【請求項８】
前記シート装着部に、
前記証紙シートの挿入を案内する案内部分を形成した
請求項６または請求項７に記載の受け皿ユニット。
【請求項９】
請求項６から請求項８のいずれか１つに記載の受け皿ユニットを、
該受け皿ユニットの側面部分が当接する箇所に開口形成した開口部を備えた前扉に装着固定した
遊技機。
【請求項１０】
前記前扉における前記開口部の近傍に、
前記遊技機における外方側から内方側へ向けて形成した係止部を備え、
前記証紙シートを、弾性を有する弾性部材で構成し、
前記第２シート部の先端近傍に、
前記係止部に係止する係止開口孔を形成した
請求項９に記載の遊技機。
【発明の詳細な説明】
【技術分野】
【０００１】
この発明は、例えば公的な第三者機関によって認定を受けたことを示す証紙を貼付するような証紙シート、受け皿ユニット、及び遊技機に関する。
【背景技術】
【０００２】
複数の図柄が描かれたリールを回転させるとともに、適宜のタイミングで停止させることで、遊技者が遊技を楽しむスロットマシン（回胴式遊技機）のような遊技機がある。  
このような遊技機は、公的な第三者機関によって、性能、仕様等が法令等に適合しているかなどの検査を受けたのち、市場へ供給されている。この際、遊技機には、適合していることを示す証紙を視認可能な位置に貼付している。なお、第三者が所有する特許権などの使用許諾を受けている場合、遊技機には、それを示す証紙も同様に貼付している。
【０００３】
この証紙は、従来、視認が容易な化粧パネルに貼付されていた。しかし、化粧パネルには遊技機を特定するキャラクターなどが描かれているため、化粧パネルに証紙を貼付すると、化粧パネルの見栄えが悪くなるという問題があった。
【０００４】
そこで、見栄えを損なうことなく証紙を視認可能にできる様々な遊技機が提案されている。  
例えば、特許文献１に記載の遊技機は、メダル払出口パネルに貫通窓を開口形成するとともに、メダル払出口パネルの裏側における貫通窓の周囲に接着剤で貼り付けた支持板及び底板を備えている。
【０００５】
そして、証紙を配置した透明プレートをメダル払出口パネルの裏側から貫通窓に嵌合するとともに、透明プレートを保持する保持板を支持板及び底板に嵌合することで、特許文献１に記載の遊技機は、見栄えを損なうことなく、証紙を視認可能にできるとされている。
【０００６】
しかしながら、特許文献１に記載の遊技機は、透明プレートや保持板など部品点数が多く、かつ支持板及び底板を接着剤で貼り付ける必要があるため、組付け工数が増加して組付け性が悪いという問題があった。
【先行技術文献】
【特許文献】
【０００７】
【特許文献１】特開２００７−１０５３７９号公報
【発明の概要】
【発明が解決しようとする課題】
【０００８】
本発明は、上述の問題に鑑み、部品点数の増加を抑えるとともに、組付け性を損なうことなく証紙を視認可能にできる証紙シート、受け皿ユニット、及び遊技機を提供することを目的とする。
【課題を解決するための手段】
【０００９】
この発明は、遊技媒体を貯留するとともに、証紙を視認可能にする表示窓を有する受け皿本体を前扉に設けた遊技機における前記受け皿本体に装着され、前記証紙の貼付を許容する可撓性の証紙シートであって、該証紙シートを、遊技者と対面する前面部分が傾斜した前記受け皿本体における前記前面部分及び前記前扉に当接する側面部分の内部に形成されるとともに、前記前扉に開口形成した開口部と連通する内部空間によって構成されたシート装着部に挿入した状態において、前記前面部分に配置されて、所定の位置に前記証紙の貼付を許容する第１シート部と、前記側面部分に配置されて、前記開口部から先端が露出する第２シート部とで構成するとともに、前記第１シート部と前記第２シート部とが斜交するように一体形成したことを特徴とする。
【００１０】
上記遊技媒体は、メダルや遊技球などとすることができる。  
上記受け皿本体は、別体、あるいは一体で前扉に設けることができる。  
上記遊技機は、回胴式遊技機、あるいはパチンコ遊技機などすることができる。
【００１１】
上記証紙は、公的な第三者検査機関によって法令等の規定に適合していることを示す証紙や第三者が所有する特許権の使用許諾を受けていることを示す証紙などとすることができる。  
上記前面部分が傾斜したとは、前面部分の下端に対して上端が遊技者側に位置するように傾斜した状態、あるいは前面部分の上端に対して下端が遊技者側に位置するように傾斜した状態などをすることができる。
【００１２】
上記側面部分は、正面視において略鉛直な形状、あるいは側方外側に向けて傾斜した形状、平面視において遊技者側の端部が遊技機における側方内側に向けて傾斜した形状、もしくはこれらを組み合わせた形状などとすることができる。  
上記証紙シートは、シート装着部に装着した状態において所定の方法で固定される形状、あるいはシート装着部の内部に係止される形状などとすることができる。
【００１３】
上記第１シート部と第２シート部とが斜交するとは、第１シート部の軸方向と第２シート部の軸方向とが斜め方向に交わる形状であり、シート装着部における証紙シートが配置される仮想面を展開した展開形状において、前面部分に対応する部分と側面部分に対応する部分との斜交状態と略一致する、あるいは略相似するように斜交した形状とすることができる。
【００１４】
この発明により、部品点数の増加を抑えるとともに、組付け性を損なうことなく証紙を視認可能にできる。  
具体的には、例えば、略鉛直な前面部分を有する受け皿本体の場合、シート装着部において、証紙シートが配置される仮想面を展開した展開形状が平面視略矩形となる。このため、シート装着部に略帯状の証紙シートを挿入すると、略帯状の証紙シートは、シート装着部に対してスムーズに挿入することができる。
【００１５】
ところが、例えば、貯留した遊技媒体を取り出し易いように前面部分が傾斜した受け皿本体の場合、シート装着部の展開形状が、前面部分の一辺と連続する側面部分の一辺が前面部分の一辺に対して屈曲するように斜交した形状となる。
【００１６】
このため、前面部分が傾斜した受け皿本体のシート装着部に挿入すると、略帯状の証紙シートは、シート装着部における前面部分と側面部分との屈曲箇所などと接触し易くなる。さらに、シート装着部に挿入した略帯状の証紙シートが前面部分に到達すると、証紙シートにおける側面部分に位置する部分が、前面部分の傾斜によって、上方あるいは下方に傾けられる。
【００１７】
加えて、シート装着部における内部空間の大きさが限られているため、略帯状の証紙シートは、前面部分の傾斜、及び内部空間の制限によって捩れるようにしてシート装着部に挿入される。このため、略帯状の証紙シートは、上述したシート装着部における屈曲箇所や側面部分と接触することによる接触抵抗が大きくなり、スムーズに挿入することができない。
【００１８】
そこで、第１シート部と第２シート部とが斜交するように一体形成することで、証紙シートは、シート装着部に沿うように挿入することができる。より詳しくは、第１シート部が前面部分に到達した際、第２シート部が前面部分の傾斜によって上方あるいは下方に傾けられても、第２シート部は、第１シート部に対して斜交して形成しているため、シート装着部の側面部分との接触面積を低減することができる。
【００１９】
これにより、証紙シートは、シート装着部との接触抵抗を大幅に低減することができる。このため、証紙シートは、シート装着部に対してスムーズに挿入することができる。さらに、第１シート部に対して第２シート部が斜交しているため、シート装着部に装着した状態において、証紙シートは、第２シート部が略水平に配置されるようにすることができる。
【００２０】
加えて、前扉の開口部から露出するように第２シート部を形成しているため、証紙シートは、シート装着部への挿入を容易にするだけでなく、例えば、前扉の開口部からの露出状態によって、証紙シートがシート装着部に正常に装着されているか否かを目視によって容易に確認できる。
【００２１】
さらにまた、証紙を貼付した証紙シートをシート装着部に挿入するだけで受け皿本体に視認可能に装着できるため、証紙シートは、例えば、証紙を載置するプレートや、該プレートを保持する部材などを不要にすることができる。  
従って、証紙シートは、第１シート部と第２シート部とが斜交するように一体形成したことにより、部品点数の増加を抑えるとともに、組付け性を損なうことなく証紙を視認可能にできる。
【００２２】
この発明の態様として、前記証紙シートを、前記前面部分における上端、または下端のうち遊技者側の一端と連続する側面部分の一端に対応する前記第２シート部における一辺の長さに対して、前記側面部分の他端に対応する第２シート部における一辺の長さを短く形成することができる。
【００２３】
この発明により、証紙シートは、受け皿本体に装着した際の見栄えを良くすることができる。  
具体的には、受け皿本体における側面部分の上端及び下端に対応する第２シートの上辺及び下辺の長さを略同等にすると、シート装着部に装着した際、証紙シートは、前扉から露出する第２シート部の先端が傾いたように装着される。このため、証紙シートは、受け皿本体に装着された際の見栄えが低下し、かつ正しく装着されていないと判断されるおそれがある。
【００２４】
そこで、前面部分における上端または下端のうち遊技者側の一端と連続する側面部分の一端に対応する第２シート部における一辺の長さに対して、側面部分の他端に対応する第２シート部における一辺の長さを短く形成することで、前扉から露出した第２シート部における先端の辺が、略鉛直になるように装着することができる。
【００２５】
すなわち、証紙シートは、第２シート部を上述の形状に形成することにより、装着された際の見栄えを良くすることができる。さらに、前扉から露出した第２シート部の先端の見栄えを良くすることで、証紙シートは、正しく装着されていることの確認を容易にすることができる。  
従って、証紙シートは、上辺と下辺との長さが異なる形状に第２シート部を形成することで、受け皿本体に装着した際の見栄えを良くすることができる。
【００２６】
また、この発明の態様として、平面視における前記第１シート部を、前記前面部分における前記遊技者側の一端が上端の場合、上方に向けて凸するように湾曲し、前記遊技者側の一端が下端の場合、下方に向けて凸するように湾曲した形状に形成することができる。
【００２７】
この発明により、証紙シートは、シート装着部に対して、よりスムーズに挿入することができる。  
具体的には、例えば、平面視において、受け皿本体の前面部分が遊技者側へ僅かに湾曲した形状の場合、シート装着部の展開形状は、前面部分に対応する部分が上方、あるいは下方に向けて僅かに凸するように湾曲した形状となる。
【００２８】
このため、例えば、第１シート部が略矩形の証紙シートでは、受け皿ユニットに装着された際、表示窓を介して第１シート部が傾いて見える、あるいはシート装着部との間に隙間が生じるなどして見栄えが低下するおそれがある。
【００２９】
そこで、前面部分における遊技者側の一端が上端の場合、上方に向けて凸するように湾曲し、遊技者側の一端が下端の場合、下方に向けて凸するように湾曲した形状に第１シート部を形成することで、証紙シートは、表示窓を介して第１シート部が傾いて視認されることを抑制して、装着された際の見栄えの低下を抑制することができる。
【００３０】
さらに、第１シート部を湾曲した形状に形成することで、証紙シートは、シート装着部における前面部分との接触抵抗を抑制することができ、よりスムーズに挿入することができる。  
従って、証紙シートは、第１シート部を上方、または下方に湾曲する形状に形成したことにより、組付け性を損なうことなく、受け皿本体に装着した際の見栄えをより良くすることができる。
【００３１】
また、この発明の態様として、前記証紙シートを、透過性を有する透過性部材で構成するとともに、前記証紙の大きさよりも僅かに小さい範囲を除く部分を不透明色で着色して形成することができる。
【００３２】
この発明により、証紙シートは、証紙をより見栄えよく視認可能に貼付することができる。  
具体的には、証紙シートは、着色していない部分を介して証紙を視認可能にできるため、遊技者と対面する面とは逆側の面に対して証紙を貼付することができる。
【００３３】
この際、証紙シートは、証紙の周縁が遊技者などに視認されることを阻止できる。このため、例えば、所定の位置に対して証紙が僅かに傾いて貼付された場合であっても、証紙シートは、証紙の見栄えが低下することを抑制できる。
【００３４】
加えて、証紙シートは、例えば、証紙の貼付位置をガイドする枠線を逆側の面に設けることができる。この際、証紙シートは、着色されているため、遊技者などに枠線が視認されることを阻止できる。このため、証紙シートは、枠線をガイドにして証紙をより見栄えよく貼付することができる。  
従って、証紙シートは、貼付した証紙を視認可能にして着色したことにより、証紙をより見栄えよく貼付することができる。
【００３５】
また、この発明の態様として、前記証紙シートを、弾性を有する弾性部材で構成し、前記第２シート部の先端近傍に、開口形成した係止開口孔を備え、該係止開口孔を、前記前扉における前記開口部の近傍に、前記遊技機における外方側から内方側へ向けて形成した係止部に係止可能な構成とすることができる。
【００３６】
この発明により、証紙シートは、部品点数を増加することなく、受け皿本体からの脱落を防止することができる。  
具体的には、証紙シートは、シート装着部において、第１シート部と第２シート部とが屈曲して配置される。これにより、第２シート部には、遊技機の外方に向けて弾性部材による弾性力が作用する。このため、第２シート部の先端は、遊技機の外方に向けて付勢される。
【００３７】
そこで、第２シート部の先端近傍に、前扉に設けた係止部に係止可能な係止開口孔を形成することで、証紙シートは、弾性力によって前扉に係止することができる。さらに、弾性力によって、証紙シートは、係止部と係止開口孔との係止が容易に解除されることを防止できる。  
従って、証紙シートは、部品点数を増加することなく、受け皿本体からの脱落を防止することができる。
【００３８】
また、この発明は、上述した証紙シートと、該証紙シートに貼付した証紙と、遊技機の前扉に設けるとともに、遊技者と対面する前面部分が傾斜した受け皿本体とで構成し、前記受け皿本体に、前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備えた受け皿ユニットであることを特徴とする。
【００３９】
この発明により、シート装着部に対して、よりスムーズに挿入可能な形状に形成した証紙シートによって、シート装着部と証紙シートとの接触抵抗を低減して、証紙シートを受け皿本体にスムーズに装着できる受け皿ユニットを構成することができる。
【００４０】
さらに、受け皿ユニットは、証紙シート、証紙、及び受け皿本体で構成しているため、例えば、証紙が載置されるプレートや、該プレートを保持する保持部材など不要にして、部品点数を削減することができる。  
従って、受け皿ユニットは、部品点数の増加を抑えるとともに、組付け性を損なうことなく証紙を視認可能にできる。
【００４１】
また、この発明は、可撓性を有する略帯状の証紙シートと、該証紙シートに貼付した証紙と、遊技機の前扉に設けるとともに、遊技者と対面する前面部分が傾斜した受け皿本体とで構成し、前記受け皿本体に、前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備え、前記シート装着部を、前記前面部分に対応する部分に対して前記側面部分に対応する部分が斜交するように形成した受け皿ユニットであることを特徴とする。
【００４２】
この発明により、部品点数の増加を抑えるとともに、組付け性を損なうことなく証紙を視認可能にできる。  
具体的には、貯留した遊技媒体を取り出し易いように前面部分が傾斜した受け皿本体に対して、略帯状の証紙シートを配置した場合、略帯状の証紙シートは、側面部分に位置する部分が前面部分の傾斜によって、上方あるいは下方に傾くように配置される。
【００４３】
そこで、例えば、側面部分に位置する部分が上方に傾くように配置された証紙シートの装着状態に対応するようにシート装着部を形成することにより、受け皿ユニットは、シート装着部と証紙シートとの接触抵抗を低減することができる。詳述すると、シート装着部は、側面部分に位置する部分が上方に傾くように配置された略帯状の証紙シートの装着状態と略同一あるいは略相似する形状に形成している。このため、シート装着部は、略帯状の証紙シートとの接触抵抗を低減でき、証紙シートの挿入を容易にすることができる。
【００４４】
換言すると、シート装着部において、証紙シートが配置される仮想面を展開した展開形状は、前面部分に対応する部分と側面部分に対応する部分とが連続する平面視略矩形の展開形状となる。すなわち、シート装着部の展開形状は、証紙シートの形状と略同一あるいは略相似形となる。これにより、受け皿ユニットは、シート装着部と証紙シートとの接触抵抗を低減して、略帯状の証紙シートをシート装着部にスムーズに挿入することができる。
【００４５】
さらに、受け皿ユニットは、証紙シート、証紙、及び受け皿本体で構成しているため、例えば、証紙が載置されるプレートや、該プレートを保持する保持部材など不要にして、部品点数を削減することができる。  
従って、受け皿ユニットは、証紙シートをスムーズに挿入できる形状にシート装着部を形成したことにより、部品点数の増加を抑えるとともに、組付け性を損なうことなく証紙を視認可能にできる。
【００４６】
なお、証紙シートは、略直線状の形状、あるいは斜交した形状としてもよい。この際、斜交した形状の証紙シートを斜交したシート装着部に挿入することで、受け皿ユニットは、証紙シートとシート装着部との接触抵抗をより低減することができる。
【００４７】
この発明の態様として、前記シート装着部に、前記証紙シートの挿入を案内する案内部分を形成することができる。  
この発明により、受け皿ユニットは、証紙シートの挿入をより容易にすることができる。
【００４８】
具体的には、前面部分と側面部分との境界近傍が屈曲しているため、受け皿本体は、側面部分から前面部分へと証紙シートをスムーズに挿入案内することが難しい。このため、例えば、シート装着部における側面部分と前面部分との屈曲箇所において、証紙シートのスムーズな挿入が阻害されると、証紙シートが座屈変形するおそれがある。
【００４９】
そこで、シート装着部に案内部分を設けることで、受け皿本体は、証紙シートの装着をよりスムーズにすることができる。例えば、前面部分と側面部分との境界近傍に案内部分を設けることで、受け皿本体は、側面部分から前面部分へと証紙シートを挿入案内することができる。  
従って、受け皿ユニットは、案内部分によって証紙シートの挿入をより容易にすることで、組付け性を損なうことを防止できる。
【００５０】
また、この発明は、上述した受け皿ユニットを、前記受け皿ユニットの側面部分が当接する箇所に開口形成した開口部を備えた前扉に装着固定した遊技機であることを特徴とする。  
この発明により、部品点数の増加を抑えるとともに、組付け性を損なうことなく証紙を視認可能にできる遊技機を構成することができる。
【００５１】
この発明の態様として、前記前扉における前記開口部の近傍に、前記遊技機における外方側から内方側へ向けて形成した係止部を備え、前記証紙シートを、弾性を有する弾性部材で構成し、前記第２シート部の先端近傍に、前記係止部に係止する係止開口孔を形成することができる。
【００５２】
この発明により、遊技機は、部品点数を増加することなく、受け皿本体からの証紙シートの脱落を防止することができる。  
具体的には、受け皿本体の前面部分と側面部分との境界近傍において、証紙シートが屈曲するため、第２シート部には、弾性部材による弾性力が遊技機における側方外側へ向けて作用する。このため、証紙シートは、弾性力によって、第２シート部の係止開口孔を前扉の係止部に容易に係止することができる。
【００５３】
これにより、遊技機は、シート装着部に挿入した証紙シートを前扉に容易に固定することができる。この際、証紙シートの弾性力によって、遊技機は、係止開口孔と係止部との係止が容易に解除されることを防止できる。このため、遊技機は、証紙シートの脱落を容易に防止することができる。
【００５４】
さらに、遊技機は、例えば、前扉や受け皿本体と証紙シートとを固定する固定部材を別体で設けることを不要にできる。加えて、弾性力によって係止できるため、遊技機は、第２シート部の係止開口孔を前扉の係止部に係止する手間を省くことができる。  
従って、遊技機は、証紙シートの弾性力によって、第２シート部の係止開口孔を前扉の係止部に係止することで、部品点数を増加することなく、証紙シートの脱落を防止することができる。
【発明の効果】
【００５５】
本発明により、部品点数の増加を抑えるとともに、組付け性を損なうことなく証紙を視認可能にできる証紙シート、受け皿ユニット、及び遊技機を提供することができる。
【図面の簡単な説明】
【００５６】
【図１】スロットマシンにおける前方上方からの外観を示す外観斜視図。
【図２】スロットマシンにおける内部構成を示すブロック図。
【図３】受け皿ユニットの前方上方からの外観を示す外観斜視図。
【図４】受け皿ユニット及び受け皿本体の後方下方からの外観を説明する説明図。
【図５】受け皿ユニットにおける構成要素を示す分解斜視図。
【図６】受け皿ユニットにおける正面視の外観を示す正面図。
【図７】図６中のＡ−Ａ矢視断面図。
【図８】図７中のＢ−Ｂ矢視断面図。
【図９】図８中の要部を拡大した要部拡大図。
【図１０】証紙シートを取り除いた状態における図８中の要部を拡大した要部拡大図。
【図１１】図６中のＣ−Ｃ矢視断面図。
【図１２】平面視における証紙シートを説明する説明図。
【図１３】受け皿本体に証紙シートを挿入する工程を説明する説明図。
【発明を実施するための形態】
【００５７】
この発明の一実施形態を以下図面と共に説明する。  
まず、本実施形態におけるスロットマシン１について、図１及び図２を用いて詳しく説明する。
【００５８】
なお、図１はスロットマシン１における前方上方からの外観斜視図を示し、図２はスロットマシン１における内部構成のブロック図を示している。  
また、図１中において、矢印Ｘは前後方向を示し（以下「前後方向Ｘ」とする）、矢印Ｙは左右方向を示している（以下、「左右方向Ｙ」とする）。
【００５９】
また、前後方向Ｘにおける前扉２側を前方とし、前後方向Ｘにおける筐体本体３側を後方とし、左右方向Ｙにおける図１中の右側を右方向とし、左右方向Ｙにおける図１中の左側を左方向とする。さらに、図１中の上側を上方とし、図１中の下側を下方とする。
【００６０】
スロットマシン１は、図１に示すように、正面視略矩形の箱状体であって、利用者と対面する前扉２と、前方側が開口した筐体本体３とで構成している。なお、前扉２は、筐体本体３の前方左端を回転中心にして開閉可能に取り付けられている。
【００６１】
前扉２における遊技者と対面する表面部分は、図１に示すように、上部に配置した液晶モニタ２０ａ、及び２つの上部スピーカー２１と、周縁に沿って配置した７つの演出ランプ２２と、略中央に配置した表示窓２３、及び操作部２５と、下部に配置した化粧パネル部２７、２つの下部スピーカー２８、メダル排出口２９、及び受け皿ユニット３０とで構成している。  
なお、前扉２は、スロットマシン１の機種名などを特定する意匠パネル（図示省略）、及び液晶モニタ２０ａや受け皿ユニット３０などを、基材である前扉フレーム２ａ（図３参照）に装着固定して構成している。
【００６２】
一方、詳細な図示を省略した筐体本体３の内部には、図２に示すように、複数の図柄が描かれたリールユニット４０、入賞に応じてメダルを払い出すメダル払出装置５０と、内部抽選を行うとともに各部を制御するメイン制御装置６０と、抽選結果に基づいて各種演出を制御するサブ制御装置７０と、各部に電力を供給する電源制御装置（図示省略）とを配置している。
【００６３】
より詳しくは、スロットマシン１は、図１及び図２に示すように、前扉２に配置した液晶ユニット２０、上部スピーカー２１、演出ランプ２２、表示窓２３、照明ランプ２４、操作部２５、メダルセレクター２６、化粧パネル部２７、下部スピーカー２８、メダル排出口２９、及び受け皿ユニット３０と、筐体本体３に配置したリールユニット４０、メダル払出装置５０、メイン制御装置６０、サブ制御装置７０、及び電源制御装置とで構成している。
【００６４】
液晶ユニット２０は、図２に示すように、液晶モニタ２０ａ、及び液晶制御装置２０ｂとで構成している。  
液晶モニタ２０ａは、図１に示すように、前扉２の上部中央に配置され、遊技中の各種演出画面や操作の案内画面を表示する機能を有している。この液晶モニタ２０ａは、図２に示すように、所定のバスを介して接続された液晶制御装置２０ｂによって制御される。
【００６５】
液晶制御装置２０ｂは、前扉２の裏面部分に配置されるとともに、図示を省略したＣＰＵ、ＲＡＭ、及びＲＯＭなどで構成している。この液晶制御装置２０ｂは、図２に示すように、所定のバスを介して接続された後述するサブ制御装置７０の指示により、遊技の進行に応じた各種演出画面や操作の案内画面などを示す画面情報を液晶モニタ２０ａに出力する機能を有している。
【００６６】
上部スピーカー２１は、図１に示すように、液晶モニタ２０ａの左右両端に配置されている。この上部スピーカー２１は、図２に示すように、所定のバスを介して接続されたサブ制御装置７０から遊技の進行に応じて出力された音声信号を音声として出力する機能を有している。
【００６７】
演出ランプ２２は、図１に示すように、前扉２の周縁に沿って６つ配置するとともに、発光色の異なる複数のＬＥＤなどで構成している。この演出ランプ２２は、所定のバスを介して接続したサブ制御装置７０の指示により、遊技の進行に応じて発光色の変更、点灯、点滅、あるいは消灯する機能を有している。
【００６８】
表示窓２３は、図１に示すように、前扉２の略中央に配置され、後述するリールユニット４０の一部分やクレジット枚数の表示などを視認可能な透明部分（図示省略）と、入賞ラインなどをプリントした不透明部分（図示省略）とを一体にして構成している。なお、前扉２の裏面部分における表示窓２３の周囲には、裏面から表示窓２３を照明する照明ランプ２４が配置されている。
【００６９】
照明ランプ２４は、ＬＥＤなどで構成され、図２に示すように、所定のバスを介して接続された後述するサブ制御装置７０の指示により、点灯、あるいは消灯する機能を有している。
【００７０】
操作部２５は、図１に示すように、表示窓２３の下方において前方に膨出した部分に配置されたメダル投入口２５ａ、入力ボタンユニット２５ｂ、ＭＡＸＢＥＴボタン２５ｃ、投入精算ボタンユニット２５ｄ、スタートレバー２５ｅ、及び３つのストップボタン２５ｆで構成している。
【００７１】
メダル投入口２５ａは、図１に示すように、操作部２５の上面右端に配置され、遊技者によるメダルの投入を受付ける機能を有している。このメダル投入口２５ａは、前扉２の裏面部分に配置したメダルセレクター２６に接続している。なお、メダルセレクター２６については後ほど説明する。
【００７２】
入力ボタンユニット２５ｂは、図１に示すように、操作部２５における上面略中央に配置され、液晶モニタ２０ａに表示された画面の指示に沿って遊技者による選択押下操作を許容する選択ボタン（図示省略）と、チャンスボタン（図示省略）とで構成している。なお、入力ボタンユニット２５ｂは、図２に示すように、所定のバスを介してサブ制御装置７０に接続されている。
【００７３】
ＭＡＸＢＥＴボタン２５ｃは、図１に示すように、入力ボタンユニット２５ｂの左側に配置されている。このＭＡＸＢＥＴボタン２５ｃは、図２に示すように、所定のバスを介してメイン制御装置６０に接続され、一回の遊技におけるメダルの最大賭け数を、獲得したメダル枚数をデータとして蓄積しているクレジットからセットすることを所望する遊技者の操作を受付ける機能を有している。
【００７４】
投入精算ボタンユニット２５ｄは、図１に示すように、操作部２５の上面左端に配置され、遊技者による押下操作によって、一回の遊技におけるメダルの賭け数を、クレジットから一枚ずつセットする投入ボタン（図示省略）と、クレジットに貯留されているメダルを精算して排出する精算ボタン（図示省略）とで構成している。なお、投入精算ボタンユニット２５ｄは、図２に示すように、所定のバスを介してメイン制御装置６０に接続されている。
【００７５】
スタートレバー２５ｅは、図１に示すように、操作部２５の前面左端に配置されている。このスタートレバー２５ｅは、図２に示すように、所定のバスを介してメイン制御装置６０に接続され、後述するリールユニット４０を構成する各リールの回転開始を所望する遊技者の操作を受付ける機能を有している。
【００７６】
３つのストップボタン２５ｆは、図１に示すように、操作部２５の前面略中央において、左右方向Ｙに沿って並置されている。このストップボタン２５ｆは、３つのリールにそれぞれ対応するように構成するとともに、対応するリールの回転停止を所望する遊技者の操作を受付ける機能を有している。なお、ストップボタン２５ｆは、図２に示すように、所定のバスを介してメイン制御装置６０に接続されている。
【００７７】
メダルセレクター２６は、前扉２の裏面部分において、メダル投入口２５ａに接続されるとともに、メダルの投入を検出する検出センサー（図示省略）、検出したメダルを選別する識別センサー（図示省略）、及びメダルを搬送する搬送路（図示省略）などで構成している。
【００７８】
このメダルセレクター２６は、図２に示すように、所定のバスを介してメイン制御装置６０と接続され、メダルの投入を検出する機能と、メダルを選別する機能と、選別したメダルを後述するメダル払出装置５０、あるいはメダル排出口２９に排出する機能とを有している。
【００７９】
化粧パネル部２７は、図１に示すように、操作部２５の下方に配置され、スロットマシン１の機種名を示すイラストなどがプリントされたパネルと、パネルを照明するバックライトなどで構成している。
【００８０】
下部スピーカー２８は、図１に示すように、化粧パネル部２７の下方における左右両端に配置されている。この下部スピーカー２８は、図２に示すように、所定のバスを介して接続されたサブ制御装置７０から遊技の進行に応じて出力された音声信号を音声として出力する機能を有している。
【００８１】
メダル排出口２９は、図１に示すように、化粧パネル部２７の下方における略中央に配置され、メダルセレクター２６、あるいは後述する筐体本体３に配置したメダル払出装置５０から搬送されたメダルを受け皿ユニット３０に排出するように構成している。
【００８２】
受け皿ユニット３０は、図１に示すように、前扉２の下部において前方に向けて配置され、メダル排出口２９から排出されたメダルを貯留可能に構成している。なお、受け皿ユニット３０については、後ほど詳しく説明する。
【００８３】
リールユニット４０は、筐体本体３の略中央に配置されて、複数の図柄がプリントされるとともに、同軸回転可能にして左右方向Ｙに並置した左リール、中リール、及び右リールと、各リールを独立して回転駆動するステッピングモーター（図示省略）と、各リールの回転位置を検出する回転検出センサー（図示省略）などで構成している。
【００８４】
このリールユニット４０は、図２に示すように、所定のバスを介して接続されたメイン制御装置６０の指示によって、ステッピングモーターが回転制御され、各リールを独立して回転、あるいは停止する機能を有している。
【００８５】
メダル払出装置５０は、図２に示すように、所定のバスを介してメイン制御装置６０に接続され、メダル投入口２５ａから投入されたメダルを貯留する機能と、遊技の進行に応じてメダル排出口２９を介してメダルを排出する機能とを有している。なお、メダル払出装置５０には、溢れ出したメダルを貯留するとともに、脱着可能な補助タンク（図示省略）を備えている。
【００８６】
メイン制御装置６０は、図２に示すように、メイン側ＣＰＵ６１、メイン側ＲＯＭ６２、メイン側ＲＡＭ６３、及び送信部６４などのハード構成と、プログラム、及びデータ等のソフト構成とで構成している。このメイン制御装置６０は、図示を省略したハーネスを介して接続されたサブ制御装置７０への各種情報の送信にかかる各種処理機能や、所定のバスを介して接続された入力ボタンユニット２５ｂを除く操作部２５の各部、メダルセレクター２６、リールユニット４０、及びメダル払出装置５０の動作を制御する制御機能を有している。
【００８７】
メイン側ＲＯＭ６２には、メイン制御装置６０において実行される各種プログラムと、各リールにプリントされた図柄の並びを登録した図柄テーブル（図示省略）と、入賞役、当選確率、及び払出し枚数などを関連付けて登録した入賞テーブル（図示省略）などを記憶している。  
メイン側ＲＡＭ６３は、各種情報を書き込む機能と、記憶した各種情報を読み出す機能とを有している。
【００８８】
送信部６４は、メイン側ＣＰＵ６１の指示によって、サブ制御装置７０に対して各種情報を送信する機能を有している。なお、メイン制御装置６０とサブ制御装置７０との間において、各種情報は、メイン制御装置６０からサブ制御装置７０への一方向にのみ送信されるものとする。
【００８９】
サブ制御装置７０は、図２に示すように、サブ側ＣＰＵ７１、サブ側ＲＯＭ７２、サブ側ＲＡＭ７３、及び受信部７４などのハード構成と、プログラム、及びデータ等のソフト構成とで構成している。このサブ制御装置７０は、所定のバスを介して接続された上部スピーカー２１、演出ランプ２２、照明ランプ２４、入力ボタンユニット２５ｂ、下部スピーカー２８、及び液晶ユニット２０の動作を制御する制御機能を有している。
【００９０】
サブ側ＲＯＭ７２には、サブ制御装置７０において実行される各種プログラムと、遊技の進行に応じて液晶モニタ２０ａに表示される演出画面などの画面情報などを記憶している。  
サブ側ＲＡＭ７３は、各種情報を書き込む機能と、記憶した各種情報を読み出す機能とを有している。
【００９１】
受信部７４は、メイン制御装置６０から送信された各種情報を受信する機能と、受信した各種情報をサブ側ＣＰＵ７１に受け渡す機能とを有している。  
電源制御装置は、外部から供給される電力を制御する機能と、制御した電力を上述した各部に供給する機能とを有している。
【００９２】
このような構成のスロットマシン１は、遊技者が一回の遊技における最大賭け数のメダルをメダル投入口２５ａに投入する、あるいはＭＡＸＢＥＴボタン２５ｃを押下操作して、一回の遊技におけるメダルの最大賭け数をクレジットからセットし、スタートレバー２５ｅを操作することで、リールユニット４０が回転開始する。
【００９３】
その後、遊技者が、３つのストップボタン２５ｆを任意のタイミングで押下することで、ストップボタン２５ｆに対応したリールが停止する。リールにプリントされた図柄が揃えば、図柄に応じてメダルがクレジットに貯留される、あるいはメダル排出口２９から排出される。このようにして、遊技者は、スロットマシン１における遊技を楽しむ。
【００９４】
引き続き、上述した受け皿ユニット３０について、図３から図１２を用いて詳しく説明する。  
なお、図３は受け皿ユニット３０の前方上方からの外観斜視図を示し、図４は受け皿ユニット３０及び受け皿本体３１の後方下方からの外観を説明する説明図を示し、図５は受け皿ユニット３０における構成要素の分解斜視図を示し、図６は受け皿ユニット３０の正面図を示している。
【００９５】
さらに、図７は図６中のＡ−Ａ矢視断面図を示し、図８は図７中のＢ−Ｂ矢視断面図を示し、図９は図８中の要部を拡大した要部拡大図を示し、図１０は証紙シート３２を取り除いた状態における図８中の要部を拡大した要部拡大図を示し、図１１は図６中のＣ−Ｃ矢視断面図を示し、図１２は平面視における証紙シート３２を説明する説明図を示している。
【００９６】
また、図３において、図示を簡略化するため前扉フレーム２ａの下部のみを図示している。また、図４において、図４（ａ）は受け皿ユニット３０を示し、図４（ｂ）は受け皿本体３１を示している。また、図１１において前扉フレーム２ａの図示を省略している。また、図１２において、図１２（ａ）は証紙シート３２における表面を示し、図１２（ｂ）は証紙シート３２における裏面を示している。
【００９７】
受け皿ユニット３０は、図３及び図４に示すように、前扉２の基材である前扉フレーム２ａに装着されるとともに、前扉フレーム２ａを後面部分とすることで略皿状となるように構成している。  
前扉フレーム２ａは、意匠パネル、液晶ユニット２０、演出ランプ２２などの装着を許容する形状に形成している。この前扉フレーム２ａには、図５のＷ部拡大図に示すように、正面視において、右側下方端部近傍に前後方向Ｘに開口する開口部２ｂを形成している。
【００９８】
この開口部２ｂは、図９に示すように、後方から証紙シート３２の挿入を許容するとともに、後述する受け皿ユニット３０のシート装着部Ｓと連通するように開口形成している。さらに、開口部２ｂにおける後方右側の面には、左方向に向けて突設するとともに、先端が前方に屈曲した鍵爪状の係止部２ｃを形成している。
【００９９】
受け皿ユニット３０は、図４及び図５に示すように、後述する受け皿本体３１に設けた複数のネジ螺合部３４２ａ，３４３ａ，３４４ａに、前扉フレーム２ａに開口形成した複数のネジ挿通孔（図示省略）を介して図示を省略したネジを螺合することで、前扉フレーム２ａに装着固定している。
【０１００】
さらに、受け皿ユニット３０は、図５及び図６に示すように、正面視において、後述する証紙シート３２に貼付した３つの証紙３３を、後述する証紙表示窓３５を介して視認可能に構成している。
【０１０１】
この証紙３３は、公的な第三者検査機関によって、スロットマシン１が法令等の規定に適合していることを示すものや、第三者が所有する特許権の使用許諾を受けていることを示すものである。なお、証紙３３は、証紙シート３２に対して前後方向Ｘの後方から貼付可能に構成している。
【０１０２】
このような受け皿ユニット３０を詳述すると、受け皿ユニット３０は、図５に示すように、前扉フレーム２ａに装着する受け皿本体３１と、略シート状の証紙シート３２と、証紙シート３２に貼付された証紙３３とで構成している。
【０１０３】
受け皿本体３１は、図５に示すように、前扉フレーム２ａに装着する皿本体部３４と、皿本体部３４の前面に装着する証紙表示窓３５、及び皿本体部３４における底面に装着する底部カバー３６で構成している。
【０１０４】
皿本体部３４は、図５に示すように、遊技者と対面する前方部分３４１と、前方部分３４１の左右両端に配置した右側方部分３４２及び左側方部分３４３と、略皿状の底面部分となる底部分３４４とを合成樹脂の射出成型によって一体形成している。
【０１０５】
前方部分３４１は、図５及び図６に示すように、前扉フレーム２ａにおける左右方向Ｙの幅と略同等の左右方向Ｙの幅で形成するとともに、図８に示すように、平面視において、左右方向Ｙの略中央が前方に僅かに凸するように湾曲させて形成している。
【０１０６】
なお、この前方部分３４１は、図７に示すように、側面視において、下方縁部に対して上方縁部が前方に位置するように傾斜して形成している。換言すると、前方部分３４１は、遊技者側の面が略斜め下方を向くように形成している。さらに、前方部分３４１における略右半分には、図５及び図９に示すように、左右方向Ｙを長手方向とする正面視略矩形で、遊技者側の面を後方に向けて凹設して段付き形状に形成した段付き部分３４５を有している。
【０１０７】
右側方部分３４２、及び左側方部分３４３は、図４及び図５に示すように、前方部分３４１における左右方向Ｙの両端からそれぞれ後方に向けて延設した内部中空形状に形成している。この右側方部分３４２及び左側方部分３４３は、正面視において、外側面が略鉛直になるよう形成するとともに、平面視において、外側面の前方側が左右方向Ｙの内側に向けて湾曲した形状に形成している。なお、右側方部分３４２、及び左側方部分３４３には、前扉フレーム２ａに固定するためのネジ螺合部３４２ａ，３４３ａをそれぞれ備えている。
【０１０８】
また、右側方部分３４２における内面の左側上部には、図４（ｂ）及び図１１に示すように、右方向へ向けて膨出するとともに、前方部分３４１の段付き部分３４５と連続する案内壁３４２ｂを形成している。さらに、右側方部分３４２における内面の右側前方には、図９及び図１１に示すように、左方向に向けて突設した平板状の２つの案内板３４２ｃを形成している。
【０１０９】
そして、右側方部分３４２は、図４及び図９に示すように、案内壁３４２ｂで上下方向の高さが制限されるとともに、前扉フレーム２ａの開口部２ｂと連通する内部空間Ｓ１を形成している。この内部空間Ｓ１は、開口部２ｂを介して後方から証紙シート３２の挿入を許容するとともに、後述する証紙シート３２の第２シート部３２２を配置する空間である。
【０１１０】
なお、案内壁３４２ｂは、後方から右側方部分３４２の内部空間Ｓ１に挿入された証紙シート３２の上下方向の位置を案内するように構成している。一方、案内板３４２ｃは、右側方部分３４２から前方部分３４１へと証紙シート３２を案内するように構成している。
【０１１１】
底部分３４４は、図４及び図５に示すように、前扉フレーム２ａ、前方部分３４１、右側方部分３４２、及び左側方部分３４３で囲われて形成された下方開口を閉塞するように形成している。この底部分３４４は、左側方部分３４３に隣接して上方に膨出した部分と、後述する底部カバー３６の載置を許容する部分とを一体にして構成している。なお、底部分３４４には、証紙表示窓３５を固定するネジ３７の挿通を許容するネジ挿通孔（図示省略）と、前扉フレーム２ａに固定するネジの螺合を許容する４つのネジ螺合部３４４ａとを備えている。
【０１１２】
証紙表示窓３５は、図５に示すように、透過性を有する合成樹脂で形成するとともに、受け皿本体３１の前方部分３４１に配置される窓本体部３５１と、底部分３４４の下面側に配置される窓下面部３５２とで、側面視略Ｌ字状に一体形成している。
【０１１３】
窓本体部３５１は、図５及び図６に示すように、正面視において、受け皿本体３１の前方部分３４１における段付き部分３４５と略同等の大きさに形成している。この窓本体部３５１は、図１０に示すように、皿本体部３４に装着した際、前方部分３４１の外面と右側方部分３４２の外面とを滑らかにつなぐ外面形状に形成している。
【０１１４】
さらに、皿本体部３４に装着した際、窓本体部３５１は、証紙シート３２を配置可能な前後方向Ｘの間隔を隔てて、段付き部分３４５と対面する肉厚に形成している。すなわち、皿本体部３４に証紙表示窓３５を装着した際、窓本体部３５１と段付き部分３４５との間に証紙シート３２を配置する内部空間Ｓ２を構成可能にしている。なお、前方部分３４１における内部空間Ｓ２は、上下方向において、右側方部分３４２の内部空間Ｓ１と略同位置となるように形成している。
【０１１５】
窓下面部３５２は、図４及び図５に示すように、皿本体部３４の底部分３４４に装着可能な形状に形成している。さらに、窓下面部３５２には、底部分３４４の下面側に設けた嵌合溝（図示省略）に嵌合する２つの嵌合部３５２ａと、ネジ３７の螺合を許容するネジ螺合部３５２ｂとを上面側に形成している。
【０１１６】
このような証紙表示窓３５を皿本体部３４に組付けることで、図９及び図１０に示すように、右側方部分３４２の内部空間Ｓ１と、前方部分３４１と窓本体部３５１とで構成した内部空間Ｓ２とが連通するとともに、証紙シート３２の挿入及び装着を許容するシート装着部Ｓを形成している。
【０１１７】
底部カバー３６は、図４及び図５に示すように、アルミ合金の薄板を折り曲げて側面視略Ｌ字状に形成している。より詳しくは、底部カバー３６は、受け皿本体３１の底部分３４４における上面を覆うカバー上面部３６１と、カバー上面部３６１の後端から下方に延設するとともに、底部分３４４の後面を覆うカバー背面部３６２とで構成している。なお、底部カバー３６におけるカバー背面部３６２には、ネジ３７の挿通を許容するネジ挿通孔（図示省略）を形成している。
【０１１８】
証紙シート３２は、可撓性及び弾性を有するとともに、透過性を有する略シート状の合成樹脂を、略へ字状に切り抜いて形成している。  
より詳しくは、証紙シート３２は、図５及び図１２に示すように、シート装着部Ｓに装着した装着状態において、受け皿本体３１の前方部分３４１に配置される第１シート部３２１と、右側方部分３４２に配置される第２シート部３２２とで構成するとともに、平面視において、第１シート部３２１と第２シート部３２２とが斜交するようにして一体形成している。
【０１１９】
第１シート部３２１は、図５に示すように、装着状態において、左右方向Ｙが長手方向となる略帯状に形成している。この第１シート部３２１は、図１２に示すように、装着状態における上辺及び下辺に対応する２つの辺が、装着状態における上方に向けて凸するように僅かに湾曲させて形成している。
【０１２０】
第２シート部３２２は、図５及び図９に示すように、装着状態において、前後方向Ｘが長手方向となる略帯状に形成するとともに、前扉２の開口部２ｂから先端が露出する長さに形成している。さらに、第２シート部３２２における先端近傍には、前扉フレーム２ａの係止部２ｃに係止可能な大きさで開口した係止開口孔３２３を形成している。
【０１２１】
この第２シート部３２２は、図１２に示すように、装着状態における上辺に対応する辺の上辺側長さＬ１に対して、装着状態における下辺に対応する辺の下辺側長さＬ２が短くなるように形成している。
【０１２２】
このような第１シート部３２１と第２シート部３２２とを、装着状態においてシート装着部Ｓに沿って配置されるように、それぞれの長手方向が斜交するようにして一体形成している。
【０１２３】
詳述すると、証紙シート３２は、図１２に示すように、平面視において、第１シート部３２１における長手方向に延びる中心軸Ｃｔ１と、第２シート部３２２における長手方向に延びる中心軸Ｃｔ２とが斜め方向に交わるようにして、第１シート部３２１と第２シート部３２２とを略へ字状に一体形成している。
【０１２４】
この際、証紙シート３２は、略水平に配置された第１シート部３２１の中心軸Ｃｔ１に対して、第２シート部３２２の中心軸Ｃｔ２が斜め下方から交わるように、第１シート部３２１と第２シート部３２２とを一体形成している。
【０１２５】
換言すると、証紙シート３２は、シート装着部Ｓにおける証紙シート３２が配置される仮想面を展開した展開形状に対して、略相似形となるように第１シート部３２１の長手方向と第２シート部３２２の長手方向とが斜交するようにして一体形成している。
【０１２６】
そして、証紙シート３２は、第１シート部３２１における証紙３３が貼付される位置において、証紙３３を視認可能にした３つの透過部分３２４を形成している。なお、証紙シート３２は、透過部分３２４を除く部分を黒色塗装している。
【０１２７】
この透過部分３２４は、証紙３３より僅かに小さい大きさの略相似形に構成している。さらに、３つの透過部分３２４は、第１シート部３２１の上辺及び下辺の湾曲に沿うように配置するとともに、シート装着部Ｓに装着した際、正面視において、左右方向Ｙに沿って平行に並置されるように、上下方向に僅かにずらして配置している。
【０１２８】
加えて、装着状態において、遊技者と対面する面とは逆側となる第１シート部３２１の後面には、図１２（ｂ）に示すように、透過部分３２４の周囲に証紙３３の大きさと略同一の大きさで、かつ所定の線幅で白色塗装した枠線３２５を備えている。
【０１２９】
引き続き、上述した証紙シート３２に証紙３３を貼付するとともに、皿本体部３４に、証紙表示窓３５、底部カバー３６、及び証紙シート３２を装着する方法について、図１３を用いて詳しく説明する。
【０１３０】
なお、図１３は受け皿本体３１に証紙シート３２を挿入する工程を説明する説明図を示し、図１３（ａ）は受け皿本体３１に証紙シート３２を挿入する第１工程を説明する説明図を示し、図１３（ｂ）は受け皿本体３１に証紙シート３２を挿入する第２工程を説明する説明図を示し、図１３（ｃ）は受け皿本体３１に証紙シート３２を装着した状態を説明する説明図を示している。また、図１３において前扉フレーム２ａの図示を省略するとともに、受け皿本体３１を図６中のＣ−Ｃ矢視断面で図示している。
【０１３１】
まず、枠線３２５と証紙３３とが略一致するように位置を合せて、前後方向Ｘの後方から証紙３３を証紙シート３２の後面に貼付する。  
次に、皿本体部３４に対して、証紙表示窓３５を前方から装着する。この際、皿本体部３４における底部分３４４の嵌合溝に対して、証紙表示窓３５の嵌合部３５２ａ、及びネジ螺合部３４４ａを嵌合させて装着する。
【０１３２】
そして、皿本体部３４の底部分３４４に対して、底部カバー３６を上方から載置したのち、底部カバー３６のネジ挿通孔、及び皿本体部３４のネジ挿通孔を介して、後方からネジ３７を証紙表示窓３５のネジ螺合部３４４ａに螺合して、受け皿本体３１を構成する。
【０１３３】
その後、受け皿本体３１を、前扉フレーム２ａの下部に装着するとともに、前扉フレーム２ａのネジ挿通孔を介して、後方からネジを皿本体部３４のネジ螺合部３４２ａ，３４３ａ，３４４ａに螺合して締結する。  
前扉フレーム２ａに受け皿本体３１を固定すると、図１３に示すように、前扉フレーム２ａの開口部２ｂを介して、前後方向Ｘの後方から証紙シート３２をシート装着部Ｓに挿入する。
【０１３４】
より詳しくは、図１３（ａ）に示すように、装着状態において遊技者と対面する面、すなわち枠線３２５を設けていない面を左右方向Ｙの右方向に向けた証紙シート３２を、第１シート部３２１の長手方向と前後方向Ｘとが略一致するようにして、後方から前扉フレーム２ａの開口部２ｂを介して受け皿本体３１の右側方部分３４２に挿入する。
【０１３５】
この際、右側方部分３４２の案内壁３４２ｂが上下方向の位置を案内するとともに、案内板３４２ｃが第１シート部３２１の屈曲を補助して、前方部分３４１の内部空間Ｓ２へ証紙シート３２を案内する。
【０１３６】
そして、案内壁３４２ｂ及び案内板３４２ｃの挿入案内によって、第１シート部３２１は、右方向を向いていた面が前方向を向くように屈曲して、前方部分３４１の内部空間Ｓ２に挿入される。この際、前方部分３４１が斜め下方に傾斜しているため、内部空間Ｓ２に挿入された第１シート部３２１は、前方部分３４１の傾斜に沿うように、遊技者と対向する面が斜め下方を向くように湾曲する。このため、証紙シート３２には、前方部分３４１と右側方部分３４２との境界近傍において捩れが生じる。
【０１３７】
この捩れによって、右側方部分３４２の内部空間Ｓ１に位置する証紙シート３２に対して、図１３（ｂ）に示すように、第２シート部３２２の先端を上方に持ち上げるような負荷が作用する。この際、内部空間Ｓ１に位置する証紙シート３２は、右側方部分３４２の案内壁３４２ｂに接触して上方への傾きを制限される。
【０１３８】
その後、シート装着部Ｓへの証紙シート３２の挿入に伴って、証紙シート３２は、第２シート部３２２の上辺及び下辺が略水平になるように、その傾きを変化させながら挿入される。
【０１３９】
そして、前方部分３４１の内部空間Ｓ２に第１シート部３２１が配置されるともに、右側方部分３４２の内部空間Ｓ１に第２シート部３２２が配置される、すなわちシート装着部Ｓに対して証紙シート３２が完全に挿入されると、図１３（ｃ）に示しように、第２シート部３２２の上辺及び下辺が略水平となる。
【０１４０】
この際、第２シート部３２２の係止開口孔３２３が、図９に示すように、前扉フレーム２ａの係止部２ｃと前後方向Ｘにおいて略同位置となる。このため、証紙シート３２の弾性力によって、第２シート部３２２の係止開口孔３２３が、前扉フレームの係止部２ｃに係止される。
【０１４１】
以上のような構成を実現する証紙シート３２、受け皿ユニット３０、及びスロットマシン１は、部品点数の増加を抑えるとともに、組付け性を損なうことなく証紙３３を視認可能にできる。
【０１４２】
具体的には、例えば、略鉛直な前方部分を有する受け皿本体の場合、シート装着部において、証紙シートが配置される仮想面を展開した展開形状が平面視略矩形となる。このため、シート装着部に略帯状の証紙シートを挿入すると、略帯状の証紙シートは、シート装着部に対してスムーズに挿入することができる。
【０１４３】
ところが、貯留したメダルを取り出し易いように前方部分３４１が傾斜した受け皿本体３１の場合、シート装着部Ｓの展開形状が、前方部分３４１の一辺と連続する右側方部分３４２の一辺が前方部分３４１の一辺に対して屈曲するように斜交した形状となる。
【０１４４】
このため、前方部分３４１が傾斜した受け皿本体３１のシート装着部Ｓに挿入すると、略帯状の証紙シートは、シート装着部Ｓにおける前方部分３４１と右側方部分３４２との屈曲箇所などと接触し易くなる。さらに、シート装着部Ｓに挿入した略帯状の証紙シートが前方部分３４１に到達すると、証紙シートにおける右側方部分３４２に位置する部分が、前方部分３４１の傾斜によって上方に傾けられる。
【０１４５】
加えて、シート装着部Ｓにおける内部空間の大きさが限られているため、略帯状の証紙シートは、前方部分３４１の傾斜、及び内部空間の制限によって捩れるようにしてシート装着部Ｓに挿入される。このため、略帯状の証紙シートは、前方部分３４１に対応する部分と右側方部分３４２に対応する部分とが斜交した展開形状のシート装着部Ｓにおける屈曲箇所や右側方部分３４２と接触することによる接触抵抗が大きくなり、スムーズに挿入することができない。
【０１４６】
そこで、第１シート部３２１と第２シート部３２２とが斜交するように一体形成することで、証紙シート３２は、シート装着部Ｓに沿うように挿入することができる。より詳しくは、第１シート部３２１が前方部分３４１に到達した際、第２シート部３２２が前方部分３４１の傾斜によって上方に傾けられても、第２シート部３２２は、第１シート部３２１に対して斜交して形成しているため、シート装着部Ｓの右側方部分３４２との接触面積を低減することができる。
【０１４７】
これにより、証紙シート３２は、シート装着部Ｓとの接触抵抗を大幅に低減することができる。このため、証紙シート３２は、シート装着部Ｓに対してスムーズに挿入することができる。さらに、第１シート部３２１に対して第２シート部３２２が斜交しているため、シート装着部Ｓに装着した状態において、証紙シート３２は、第２シート部３２２が略水平に配置されるようにすることができる。
【０１４８】
加えて、前扉フレーム２ａの開口部２ｂから露出するように第２シート部３２２を形成しているため、証紙シート３２は、シート装着部Ｓへの挿入を容易にするだけでなく、例えば、前扉フレーム２ａの開口部２ｂからの露出状態によって、証紙シート３２がシート装着部Ｓに正常に装着されているか否かを目視によって容易に確認できる。
【０１４９】
さらにまた、証紙３３を貼付した証紙シート３２をシート装着部Ｓに挿入するだけで受け皿本体３１に視認可能に装着できるため、証紙シート３２は、例えば、証紙３３を載置するプレートや、該プレートを保持する部材などを不要にすることができる。  
従って、証紙シート３２は、第１シート部３２１と第２シート部３２２とが斜交するように一体形成したことにより、部品点数の増加を抑えるとともに、組付け性を損なうことなく証紙３３を視認可能にできる。
【０１５０】
また、装着状態における上辺に対応する辺の上辺側長さＬ１に対して、装着状態における下辺に対応する辺の下辺側長さＬ２が短くなるように第２シート部３２２を形成したことにより、証紙シート３２は、受け皿本体３１に装着した際の見栄えを良くすることができる。
【０１５１】
具体的には、受け皿本体３１における右側方部分３４２の上端及び下端に対応する第２シートの上辺及び下辺の長さを略同等にすると、シート装着部Ｓに装着した際、証紙シート３２は、前扉フレーム２ａから露出する第２シート部３２２の先端が傾いたように装着される。このため、証紙シート３２は、受け皿本体３１に装着された際の見栄えが低下し、かつ正しく装着されていないと判断されるおそれがある。
【０１５２】
そこで、第２シート部３２２における上辺側長さＬ１に対して下辺側長さＬ２を短く形成することで、前扉フレーム２ａから露出した第２シート部３２２における先端の辺が、略鉛直になるように装着することができる。
【０１５３】
すなわち、証紙シート３２は、第２シート部３２２を上述の形状に形成することにより、装着された際の見栄えを良くすることができる。さらに、前扉フレーム２ａから露出した第２シート部３２２の先端の見栄えを良くすることで、証紙シート３２は、正しく装着されていることの確認を容易にすることができる。  
従って、証紙シート３２は、上辺と下辺との長さが異なる形状に第２シート部３２２を形成することで、受け皿本体３１に装着した際の見栄えを良くすることができる。
【０１５４】
また、装着状態における上辺及び下辺に対応する２つの辺が、装着状態における上方に向けて凸するように僅かに湾曲させて第１シート部３２１を形成したことにより、証紙シート３２は、シート装着部Ｓに対して、よりスムーズに挿入することができる。
【０１５５】
具体的には、平面視において、受け皿本体３１の前方部分３４１が遊技者側へ僅かに湾曲した形状の場合、シート装着部Ｓの展開形状は、前方部分３４１に対応する部分が上方に向けて僅かに凸するように湾曲した形状となる。
【０１５６】
このため、例えば、第１シート部３２１が略矩形の証紙シートでは、受け皿ユニット３０に装着された際、証紙表示窓３５を介して第１シート部３２１が傾いて見える、あるいはシート装着部Ｓとの間に隙間が生じるなどして見栄えが低下するおそれがある。
【０１５７】
そこで、上方に向けて凸するように湾曲した形状に第１シート部３２１を形成することで、証紙シート３２は、証紙表示窓３５を介して第１シート部３２１が傾いて視認されることを抑制して、装着された際の見栄えの低下を抑制することができる。
【０１５８】
さらに、第１シート部３２１を湾曲した形状に形成することで、証紙シート３２は、シート装着部Ｓにおける前方部分３４１との接触抵抗を抑制することができ、よりスムーズに挿入することができる。  
従って、証紙シート３２は、第１シート部３２１を上方に湾曲する形状に形成したことにより、組付け性を損なうことなく、受け皿本体３１に装着した際の見栄えをより良くすることができる。
【０１５９】
また、透過性を有する透過性部材で構成するとともに、透過部分３２４を除く範囲を黒色塗装して形成したことにより、証紙シート３２は、証紙３３をより見栄えよく視認可能に貼付することができる。
【０１６０】
具体的には、証紙シート３２は、透過部分３２４を介して証紙３３を視認可能にできるため、遊技者と対面する面とは逆側の面に対して証紙３３を貼付することができる。  
この際、証紙シート３２は、証紙３３の周縁が遊技者などに視認されることを阻止できる。このため、例えば、透過部分３２４に対して証紙３３が僅かに傾いて貼付された場合であっても、証紙シート３２は、証紙３３の見栄えが低下することを抑制できる。
【０１６１】
加えて、証紙シート３２は、例えば、証紙３３の貼付位置をガイドする枠線３２５を逆側の面に設けることができる。この際、証紙シート３２は、着色されているため、遊技者などに枠線３２５が視認されることを阻止できる。このため、証紙シート３２は、枠線３２５をガイドにして証紙３３をより見栄えよく貼付することができる。  
従って、証紙シート３２は、貼付した証紙３３を視認可能にして着色したことにより、証紙３３をより見栄えよく貼付することができる。
【０１６２】
また、証紙シート３２と、証紙シート３２に貼付した証紙３３と、スロットマシン１の前扉フレーム２ａに設けるとともに、シート装着部Ｓを有する受け皿本体３１とで受け皿ユニット３０を構成したことにより、シート装着部Ｓに対して、よりスムーズに挿入可能な形状に形成した証紙シート３２によって、シート装着部Ｓと証紙シート３２との接触抵抗を低減して、証紙シート３２を受け皿本体３１にスムーズに装着することができる。
【０１６３】
さらに、受け皿ユニット３０は、証紙シート３２、証紙３３、及び受け皿本体３１で構成しているため、例えば、証紙３３が載置されるプレートや、該プレートを保持する保持部材など不要にして、部品点数を削減することができる。  
従って、受け皿ユニット３０は、部品点数の増加を抑えるとともに、組付け性を損なうことなく証紙３３を視認可能になる。
【０１６４】
また、シート装着部Ｓに、証紙シート３２の挿入を案内する案内壁３４２ｂ、及び案内板３４２ｃを形成したことにより、受け皿ユニット３０は、証紙シート３２の挿入をより容易にすることができる。
【０１６５】
具体的には、前方部分３４１と右側方部分３４２との境界近傍が屈曲しているため、受け皿本体３１は、右側方部分３４２から前方部分３４１へと証紙シート３２をスムーズに挿入案内することが難しい。このため、例えば、シート装着部Ｓにおける右側方部分３４２と前方部分３４１との屈曲箇所において、証紙シート３２のスムーズな挿入が阻害されると、証紙シート３２が座屈変形するおそれがある。
【０１６６】
そこで、シート装着部Ｓに案内壁３４２ｂ、及び案内板３４２ｃを設けることで、受け皿本体３１は、証紙シート３２の装着をよりスムーズにすることができる。より詳しくは、案内壁３４２ｂによって、受け皿本体３１は、上下方向における証紙シート３２の挿入を案内することができる。さらに、案内板３４２ｃによって、受け皿本体３１は、右側方部分３４２から前方部分３４１へと証紙シート３２の挿入を案内することができる。  
従って、受け皿ユニット３０は、案内壁３４２ｂ、及び案内板３４２ｃによって証紙シート３２の挿入をより容易にすることで、組付け性を損なうことを防止できる。
【０１６７】
また、受け皿ユニット３０を、開口部２ｂを備えた前扉フレーム２ａに装着固定したことにより、部品点数の増加を抑えるとともに、組付け性を損なうことなく証紙３３を視認可能にできるスロットマシン１を構成することができる。
【０１６８】
また、前扉フレーム２ａにおける開口部２ｂの近傍に係止部２ｃを備え、証紙シート３２における第２シート部３２２の先端近傍に係止開口孔３２３を形成したことにより、スロットマシン１は、部品点数を増加することなく、受け皿本体３１からの証紙シート３２の脱落を防止することができる。
【０１６９】
具体的には、受け皿本体３１の前方部分３４１と右側方部分３４２との境界近傍において、証紙シート３２が屈曲するため、第２シート部３２２には、弾性部材による弾性力がスロットマシン１における右方向へ向けて作用する。このため、証紙シート３２は、弾性力によって、第２シート部３２２の係止開口孔３２３を前扉フレーム２ａの係止部２ｃに容易に係止することができる。
【０１７０】
これにより、スロットマシン１は、シート装着部Ｓに挿入した証紙シート３２を前扉フレーム２ａに容易に固定することができる。この際、証紙シート３２の弾性力によって、スロットマシン１は、係止開口孔３２３と係止部２ｃとの係止が容易に解除されることを防止できる。このため、スロットマシン１は、証紙シート３２の脱落を容易に防止することができる。
【０１７１】
さらに、スロットマシン１は、例えば、前扉フレーム２ａや受け皿本体３１と証紙シート３２とを固定する固定部材を別体で設けることを不要にできる。加えて、弾性力によって係止できるため、スロットマシン１は、第２シート部３２２の係止開口孔３２３を前扉フレーム２ａの係止部２ｃに係止する手間を省くことができる。
【０１７２】
従って、スロットマシン１は、証紙シート３２の弾性力によって、第２シート部３２２の係止開口孔３２３を前扉フレーム２ａの係止部２ｃに係止することで、部品点数を増加することなく、証紙シート３２の脱落を防止することができる。
【０１７３】
この発明の構成と、上述の実施形態との対応において、
この発明の遊技媒体は、実施形態のメダルに対応し、
以下同様に、
表示窓は、証紙表示窓３５に対応し、
遊技機は、スロットマシン１に対応し、
前面部分は、前方部分３４１に対応し、
側面部分は、右側方部分３４２に対応し、
開口部と連通する内部空間は、内部空間Ｓ１、及び内部空間Ｓ２に対応し、
側面部分の一端に第２シート部における一辺の長さは、上辺側長さＬ１に対応し、
側面部分の他端に対応する第２シート部における一辺の長さは、下辺側長さＬ２に対応し、
証紙の大きさよりも僅かに小さい範囲は、透過部分３２４に対応し、
案内部分は、案内壁３４２ｂ、及び案内板３４２ｃに対応するが、
この発明は、上述の実施形態の構成のみに限定されるものではなく、多くの実施の形態を得ることができる。
【０１７４】
例えば、上述の実施形態において、前扉フレーム２ａに装着する意匠パネルとは別体で設けた受け皿本体３１としたが、これに限定せず、前扉フレーム２ａに装着する意匠パネルと一体にした受け皿本体としてもよい。
【０１７５】
また、右側方部分３４２から前方部分３４１にかけてシート装着部Ｓを形成したが、これに限定せず、左側方部分３４３から前方部分３４１にかけて形成したシート装着部としてもよい。この際、前扉フレーム２ａの開口部２ｂ及び係止部２ｃは、前扉フレーム２ａの左側に形成する。
【０１７６】
また、側面視において、下方縁部に対して上方縁部が前方に位置するように傾斜させた前方部分３４１としたが、これに限定せず、側面視において、上方縁部に対して下方縁部が前方に位置するように傾斜させた前方部分としてもよい。
【０１７７】
この際、証紙シート３２は、第１シート部３２１の上辺及び下辺に対して、第２シート部３２２の上辺及び下辺が略斜め上方へ傾斜するようにして一体形成する。さらに、第１シート部３２１は、装着状態における上辺及び下辺に対応する２つの辺が、装着状態における下方に向けて凸するように僅かに湾曲させて形成する。加えて、証紙シート３２は、第２シート部３２２の下辺側長さに対して上辺側長さが短くなるように形成する。
【０１７８】
また、右側方部分３４２及び左側方部分３４３を、正面視において外側面が略鉛直で、平面視における前方側が左右方向Ｙの内側に向けて湾曲した形状としたが、これに限定せず、正面視において外側面が左右方向Ｙの外側に向けて傾斜した形状などとしてもよい。
【０１７９】
また、前扉フレーム２ａの係止部２ｃに係止する係止開口孔３２３を有する証紙シート３２としたが、これに限定せず、シート装着部Ｓの内部において係止可能な証紙シートとしてもよい。例えば、平面視において、第１シート部を倒位の略台形状に形成し、シート装着部Ｓの内部に係止されるようにしてもよい。  
また、証紙シート３２を黒色で塗装したが、これに限定せず、透過部分３２４からはみ出た証紙３３を視認不可に隠蔽できる不透明色であれば、適宜の色で着色してもよい。
【０１８０】
また、上下方向において、略同位置に配置された右側方部分３４２の内部空間Ｓ１と、前方部分３４１の内部空間Ｓ２とで構成したシート装着部Ｓに、第１シート部３２１と第２シート部３２２とが斜交するように一体形成した証紙シート３２を挿入する構成としたが、これに限定せず、受け皿本体３１において、右側方部分３４２の内部空間Ｓ１と前方部分３４１の内部空間Ｓ２とを斜交させて配置したシート装着部に対して、略帯状の証紙シートを挿入する構成としてもよい。
【０１８１】
これにより、部品点数の増加を抑えるとともに、組付け性を損なうことなく証紙を視認可能にできる。  
具体的には、貯留したメダルを取り出し易いように前方部分３４１が傾斜した受け皿本体３１に対して、略帯状の証紙シートを配置した場合、略帯状の証紙シートは、右側方部分３４２に位置する部分が前方部分３４１の傾斜によって上方に傾くように配置される。
【０１８２】
そこで、証紙シートの装着状態に対応するようにシート装着部を形成することにより、受け皿ユニット３０は、シート装着部と証紙シートとの接触抵抗を低減することができる。詳述すると、シート装着部は、右側方部分３４２に位置する部分が上方に傾くように配置された略帯状の証紙シートの装着状態と略同一あるいは略相似する形状に形成している。このため、シート装着部は、略帯状の証紙シートとの接触抵抗を低減でき、証紙シートの挿入を容易にすることができる。
【０１８３】
換言すると、シート装着部において、証紙シートが配置される仮想面を展開した展開形状は、前方部分３４１に対応する部分と右側方部分３４２に対応する部分とが連続する平面視略矩形の展開形状となる。すなわち、シート装着部の展開形状は、証紙シートの形状と略同一あるいは略相似形となる。これにより、受け皿ユニット３０は、シート装着部と証紙シートとの接触抵抗を低減して、略帯状の証紙シートをシート装着部にスムーズに挿入することができる。
【０１８４】
つまり、前方部分３４１が傾斜した受け皿本体３１において、上述した実施形態では、前方部分３４１に対応する部分と右側方部分３４２に対応する部分とが屈曲するように斜交した展開形状のシート装着部Ｓに、第１シート部３２１と第２シート部３２２とが斜交する証紙シート３２を挿入する構成により、受け皿ユニット３０は、シート装着部Ｓに対して証紙シート３２をスムーズに挿入することができるようにしている。
【０１８５】
これに対して、前方部分３４１に対応する部分と右側方部分３４２に対応する部分とが連続する平面視略矩形の展開形状のシート装着部に略帯状の証紙シートを挿入する構成により、受け皿ユニット３０は、上述した実施形態と同様の効果を奏することができる。
【０１８６】
さらに、受け皿ユニット３０は、証紙シート、証紙３３、及び受け皿本体３１で構成しているため、例えば、証紙３３が載置されるプレートや、該プレートを保持する保持部材など不要にして、部品点数を削減することができる。  
従って、受け皿ユニット３０は、証紙シートをスムーズに挿入できる形状にシート装着部を形成したことにより、部品点数の増加を抑えるとともに、組付け性を損なうことなく証紙３３を視認可能にできる。
【０１８７】
あるいは、証紙シートとシート装着部とがともに斜交するようにしてもよい。この際、斜交した形状の証紙シートを斜交したシート装着部に挿入することで、受け皿ユニット３０は、証紙シートとシート装着部との接触抵抗をより低減することができる。
【産業上の利用可能性】
【０１８８】
本発明は、スロットマシンの電源制御装置に限らず、パチンコ機などの遊技ホールに設置される遊技機における各種制御装置に適用することができる。
【符号の説明】
【０１８９】
１…スロットマシン
２…前扉
２ｂ…開口部
２ｃ…係止部
３０…受け皿ユニット
３１…受け皿本体
３２…証紙シート
３３…証紙
３５…証紙表示窓
３２１…第１シート部
３２２…第２シート部
３２３…係止開口孔
３２４…透過部分
３４１…前方部分
３４２…右側方部分
３４２ｂ…案内壁
３４２ｃ…案内板
Ｌ１…上辺側長さ
Ｌ２…下辺側長さ
Ｓ１…内部空間
Ｓ２…内部空間
Ｓ…シート装着部
【図１】
2015100538.tif 000003
【図２】
2015100538.tif 000004
【図３】
2015100538.tif 000005
【図４】
2015100538.tif 000006
【図５】
2015100538.tif 000007
【図６】
2015100538.tif 000008
【図７】
2015100538.tif 000009
【図８】
2015100538.tif 000010
【図９】
2015100538.tif 000011
【図１０】
2015100538.tif 000012
【図１１】
2015100538.tif 000013
【図１２】
2015100538.tif 000014
【図１３】
2015100538.tif 000015
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
遊技媒体を貯留するとともに、証紙を視認可能にする表示窓を有する受け皿本体を前扉に設けた遊技機における前記受け皿本体に装着され、前記証紙の貼付を許容する可撓性の証紙シートであって、
該証紙シートを、
遊技者と対面する前面部分が傾斜した前記受け皿本体における前記前面部分及び前記前扉に当接する側面部分の内部に形成されるとともに、前記前扉に開口形成した開口部と連通する内部空間によって構成されたシート装着部に挿入した状態において、
前記前面部分に配置されて、所定の位置に前記証紙の貼付を許容する第１シート部と、
前記側面部分に配置されて、前記開口部から先端が露出する第２シート部とで構成するとともに、
前記第１シート部と前記第２シート部とが斜交するように、弾性を有する弾性部材で一体形成し、
前記第２シート部の前記先端近傍に、開口形成した係止開口孔を備え、
該係止開口孔を、
前記前扉における前記開口部の近傍に、前記遊技機における左右方向の外方側から内方側へ向けて形成した係止部に係止可能な構成とした
証紙シート。
【請求項２】
前記前面部分における前記シート装着部の上端、また下端のうち、前記遊技者に近い一端を、遊技者側の一端とし、
前記側面部分における前記シート装着部の上端、または下端のうち、前記遊技者側の一端と連続する一端を、側面部分の一端として、
前記第２シート部における前記側面部分の一端に対応する一辺の長さを、
第２シート部における対辺の長さよりも長く形成した
請求項１に記載の証紙シート。
【請求項３】
前記前面部分における前記シート装着部の上端、また下端のうち、前記遊技者に近い一端を、遊技者側の一端とし、
前記側面部分における前記シート装着部の上端、または下端のうち、前記遊技者側の一端と連続する一端を、側面部分の一端として、
平面視における前記第１シート部を、
前記遊技者側の一端が、前記前面部分における前記シート装着部の上端の場合、上方に向けて凸するように湾曲し、
前記遊技者側の一端が、前記前面部分における前記シート装着部の下端の場合、下方に向けて凸するように湾曲した形状に形成した
請求項１または請求項２に記載の証紙シート。
【請求項４】
前記証紙シートを、
透過性を有する透過性部材で構成するとともに、前記証紙の大きさよりも僅かに小さい範囲を除く部分を不透明色で着色して形成した
請求項１から請求項３のいずれか１つに記載の証紙シート。
【請求項５】
請求項１から請求項４のいずれか１つに記載の証紙シートと、
該証紙シートに貼付した証紙と、
遊技機の前扉に設けるとともに、遊技者と対面する前面部分が傾斜した受け皿本体とで構成し、
前記受け皿本体に、
前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備えた
受け皿ユニット。
【請求項６】
弾性、及び可撓性を有する略帯状の証紙シートと、
該証紙シートに貼付した証紙と、
遊技機の前扉に設けるとともに、遊技者と対面する前面部分が傾斜した受け皿本体とで構成し、
前記証紙シートの先端近傍に、
前記遊技機における左右方向の外側から内側に向けて、前記前扉に形成した係止部に係止可能な係止開口孔を開口形成し、
前記受け皿本体に、
前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備え、
前記シート装着部を、
前記前面部分に対応する部分に対して前記側面部分に対応する部分が斜交するように形成した
受け皿ユニット。
【請求項７】
前記シート装着部に、
前記証紙シートの挿入を案内する案内部分を形成した
請求項５または請求項６に記載の受け皿ユニット。
【請求項８】
請求項５から請求項７のいずれか１つに記載の受け皿ユニットと、
該受け皿ユニットの側面部分が当接する箇所に、前記受け皿ユニットのシート装着部と連通するように開口形成した開口部を有する前扉とを備え、
前記開口部の近傍に、
前記前扉における左右方向の外方側から内方側へ向けて形成するとともに、証紙シートにおける第２シート部の係止開口孔が係止される係止部を備えた
遊技機。
【手続補正２】
【補正対象書類名】明細書
【補正対象項目名】全文
【補正方法】変更
【補正の内容】
【発明の詳細な説明】
【技術分野】
【０００１】
この発明は、例えば公的な第三者機関によって認定を受けたことを示す証紙を貼付するような証紙シート、受け皿ユニット、及び遊技機に関する。
【背景技術】
【０００２】
複数の図柄が描かれたリールを回転させるとともに、適宜のタイミングで停止させることで、遊技者が遊技を楽しむスロットマシン（回胴式遊技機）のような遊技機がある。  
このような遊技機は、公的な第三者機関によって、性能、仕様等が法令等に適合しているかなどの検査を受けたのち、市場へ供給されている。この際、遊技機には、適合していることを示す証紙を視認可能な位置に貼付している。なお、第三者が所有する特許権などの使用許諾を受けている場合、遊技機には、それを示す証紙も同様に貼付している。
【０００３】
この証紙は、従来、視認が容易な化粧パネルに貼付されていた。しかし、化粧パネルには遊技機を特定するキャラクターなどが描かれているため、化粧パネルに証紙を貼付すると、化粧パネルの見栄えが悪くなるという問題があった。
【０００４】
そこで、見栄えを損なうことなく証紙を視認可能にできる様々な遊技機が提案されている。  
例えば、特許文献１に記載の遊技機は、メダル払出口パネルに貫通窓を開口形成するとともに、メダル払出口パネルの裏側における貫通窓の周囲に接着剤で貼り付けた支持板及び底板を備えている。
【０００５】
そして、証紙を配置した透明プレートをメダル払出口パネルの裏側から貫通窓に嵌合するとともに、透明プレートを保持する保持板を支持板及び底板に嵌合することで、特許文献１に記載の遊技機は、見栄えを損なうことなく、証紙を視認可能にできるとされている。
【０００６】
しかしながら、特許文献１に記載の遊技機は、透明プレートや保持板など部品点数が多く、かつ支持板及び底板を接着剤で貼り付ける必要があるため、組付け工数が増加して組付け性が悪いという問題があった。
【先行技術文献】
【特許文献】
【０００７】
【特許文献１】特開２００７−１０５３７９号公報
【発明の概要】
【発明が解決しようとする課題】
【０００８】
本発明は、上述の問題に鑑み、部品点数の増加を抑えるとともに、組付け性を損なうことなく証紙を視認可能にできる証紙シート、受け皿ユニット、及び遊技機を提供することを目的とする。
【課題を解決するための手段】
【０００９】
この発明は、遊技媒体を貯留するとともに、証紙を視認可能にする表示窓を有する受け皿本体を前扉に設けた遊技機における前記受け皿本体に装着され、前記証紙の貼付を許容する可撓性の証紙シートであって、該証紙シートを、遊技者と対面する前面部分が傾斜した前記受け皿本体における前記前面部分及び前記前扉に当接する側面部分の内部に形成されるとともに、前記前扉に開口形成した開口部と連通する内部空間によって構成されたシート装着部に挿入した状態において、前記前面部分に配置されて、所定の位置に前記証紙の貼付を許容する第１シート部と、前記側面部分に配置されて、前記開口部から先端が露出する第２シート部とで構成するとともに、前記第１シート部と前記第２シート部とが斜交するように、弾性を有する弾性部材で一体形成し、前記第２シート部の前記先端近傍に、開口形成した係止開口孔を備え、該係止開口孔を、前記前扉における前記開口部の近傍に、前記遊技機における左右方向の外方側から内方側へ向けて形成した係止部に係止可能な構成としたことを特徴とする。
【００１０】
上記遊技媒体は、メダルや遊技球などとすることができる。  
上記受け皿本体は、別体、あるいは一体で前扉に設けることができる。  
上記遊技機は、回胴式遊技機、あるいはパチンコ遊技機などすることができる。
【００１１】
上記証紙は、公的な第三者検査機関によって法令等の規定に適合していることを示す証紙や第三者が所有する特許権の使用許諾を受けていることを示す証紙などとすることができる。  
上記前面部分が傾斜したとは、前面部分の下端に対して上端が遊技者側に位置するように傾斜した状態、あるいは前面部分の上端に対して下端が遊技者側に位置するように傾斜した状態などをすることができる。
【００１２】
上記側面部分は、正面視において略鉛直な形状、あるいは側方外側に向けて傾斜した形状、平面視において遊技者側の端部が遊技機における側方内側に向けて傾斜した形状、もしくはこれらを組み合わせた形状などとすることができる。  
上記証紙シートは、シート装着部に装着した状態において所定の方法で固定される形状、あるいはシート装着部の内部に係止される形状などとすることができる。
【００１３】
上記第１シート部と第２シート部とが斜交するとは、第１シート部の軸方向と第２シート部の軸方向とが斜め方向に交わる形状であり、シート装着部における証紙シートが配置される仮想面を展開した展開形状において、前面部分に対応する部分と側面部分に対応する部分との斜交状態と略一致する、あるいは略相似するように斜交した形状とすることができる。
【００１４】
この発明により、部品点数の増加を抑えるとともに、組付け性を損なうことなく証紙を視認可能にできる。  
具体的には、例えば、略鉛直な前面部分を有する受け皿本体の場合、シート装着部において、証紙シートが配置される仮想面を展開した展開形状が平面視略矩形となる。このため、シート装着部に略帯状の証紙シートを挿入すると、略帯状の証紙シートは、シート装着部に対してスムーズに挿入することができる。
【００１５】
ところが、例えば、貯留した遊技媒体を取り出し易いように前面部分が傾斜した受け皿本体の場合、シート装着部の展開形状が、前面部分の一辺と連続する側面部分の一辺が前面部分の一辺に対して屈曲するように斜交した形状となる。
【００１６】
このため、前面部分が傾斜した受け皿本体のシート装着部に挿入すると、略帯状の証紙シートは、シート装着部における前面部分と側面部分との屈曲箇所などと接触し易くなる。さらに、シート装着部に挿入した略帯状の証紙シートが前面部分に到達すると、証紙シートにおける側面部分に位置する部分が、前面部分の傾斜によって、上方あるいは下方に傾けられる。
【００１７】
加えて、シート装着部における内部空間の大きさが限られているため、略帯状の証紙シートは、前面部分の傾斜、及び内部空間の制限によって捩れるようにしてシート装着部に挿入される。このため、略帯状の証紙シートは、上述したシート装着部における屈曲箇所や側面部分と接触することによる接触抵抗が大きくなり、スムーズに挿入することができない。
【００１８】
そこで、第１シート部と第２シート部とが斜交するように一体形成することで、証紙シートは、シート装着部に沿うように挿入することができる。より詳しくは、第１シート部が前面部分に到達した際、第２シート部が前面部分の傾斜によって上方あるいは下方に傾けられても、第２シート部は、第１シート部に対して斜交して形成しているため、シート装着部の側面部分との接触面積を低減することができる。
【００１９】
これにより、証紙シートは、シート装着部との接触抵抗を大幅に低減することができる。このため、証紙シートは、シート装着部に対してスムーズに挿入することができる。さらに、第１シート部に対して第２シート部が斜交しているため、シート装着部に装着した状態において、証紙シートは、第２シート部が略水平に配置されるようにすることができる。
【００２０】
加えて、前扉の開口部から露出するように第２シート部を形成しているため、証紙シートは、シート装着部への挿入を容易にするだけでなく、例えば、前扉の開口部からの露出状態によって、証紙シートがシート装着部に正常に装着されているか否かを目視によって容易に確認できる。
【００２１】
さらにまた、証紙を貼付した証紙シートをシート装着部に挿入するだけで受け皿本体に視認可能に装着できるため、証紙シートは、例えば、証紙を載置するプレートや、該プレートを保持する部材などを不要にすることができる。
【００２２】
そして、証紙シートは、シート装着部において、第１シート部と第２シート部とが屈曲して配置される。これにより、第２シート部には、遊技機の外方に向けて弾性部材による弾性力が作用する。このため、第２シート部の先端は、遊技機の外方に向けて付勢される。
【００２３】
そこで、第２シート部の先端近傍に、前扉に設けた係止部に係止可能な係止開口孔を形成することで、証紙シートは、弾性力によって前扉に係止することができる。さらに、弾性力によって、証紙シートは、係止部と係止開口孔との係止が容易に解除されることを防止できる。
【００２４】
これにより、証紙シートは、部品点数を増加することなく、受け皿本体からの脱落を防止することができる。 
従って、証紙シートは、第１シート部と第２シート部とが斜交するように一体形成したことにより、部品点数の増加を抑えるとともに、組付け性を損なうことなく証紙を視認可能にできる。
【００２５】
この発明の態様として、前記前面部分における前記シート装着部の上端、また下端のうち、前記遊技者に近い一端を、遊技者側の一端とし、前記側面部分における前記シート装着部の上端、または下端のうち、前記遊技者側の一端と連続する一端を、側面部分の一端として、前記第２シート部における前記側面部分の一端に対応する一辺の長さを、第２シート部における対辺の長さよりも長く形成することができる。
【００２６】
この発明により、証紙シートは、受け皿本体に装着した際の見栄えを良くすることができる。  
具体的には、受け皿本体における側面部分の上端及び下端に対応する第２シートの上辺及び下辺の長さを略同等にすると、シート装着部に装着した際、証紙シートは、前扉から露出する第２シート部の先端が傾いたように装着される。このため、証紙シートは、受け皿本体に装着された際の見栄えが低下し、かつ正しく装着されていないと判断されるおそれがある。
【００２７】
そこで、前面部分における上端または下端のうち遊技者側の一端と連続する側面部分の一端に対応する第２シート部における一辺の長さに対して、側面部分の他端に対応する第２シート部における一辺の長さを短く形成することで、前扉から露出した第２シート部における先端の辺が、略鉛直になるように装着することができる。
【００２８】
すなわち、証紙シートは、第２シート部を上述の形状に形成することにより、装着された際の見栄えを良くすることができる。さらに、前扉から露出した第２シート部の先端の見栄えを良くすることで、証紙シートは、正しく装着されていることの確認を容易にすることができる。  
従って、証紙シートは、上辺と下辺との長さが異なる形状に第２シート部を形成することで、受け皿本体に装着した際の見栄えを良くすることができる。
【００２９】
また、この発明の態様として、前記前面部分における前記シート装着部の上端、また下端のうち、前記遊技者に近い一端を、遊技者側の一端とし、前記側面部分における前記シート装着部の上端、または下端のうち、前記遊技者側の一端と連続する一端を、側面部分の一端として、平面視における前記第１シート部を、前記遊技者側の一端が、前記前面部分における前記シート装着部の上端の場合、上方に向けて凸するように湾曲し、前記遊技者側の一端が、前記前面部分における前記シート装着部の下端の場合、下方に向けて凸するように湾曲した形状に形成することができる。
【００３０】
この発明により、証紙シートは、シート装着部に対して、よりスムーズに挿入することができる。  
具体的には、例えば、平面視において、受け皿本体の前面部分が遊技者側へ僅かに湾曲した形状の場合、シート装着部の展開形状は、前面部分に対応する部分が上方、あるいは下方に向けて僅かに凸するように湾曲した形状となる。
【００３１】
このため、例えば、第１シート部が略矩形の証紙シートでは、受け皿ユニットに装着された際、表示窓を介して第１シート部が傾いて見える、あるいはシート装着部との間に隙間が生じるなどして見栄えが低下するおそれがある。
【００３２】
そこで、前面部分における遊技者側の一端が上端の場合、上方に向けて凸するように湾曲し、遊技者側の一端が下端の場合、下方に向けて凸するように湾曲した形状に第１シート部を形成することで、証紙シートは、表示窓を介して第１シート部が傾いて視認されることを抑制して、装着された際の見栄えの低下を抑制することができる。
【００３３】
さらに、第１シート部を湾曲した形状に形成することで、証紙シートは、シート装着部における前面部分との接触抵抗を抑制することができ、よりスムーズに挿入することができる。  
従って、証紙シートは、第１シート部を上方、または下方に湾曲する形状に形成したことにより、組付け性を損なうことなく、受け皿本体に装着した際の見栄えをより良くすることができる。
【００３４】
また、この発明の態様として、前記証紙シートを、透過性を有する透過性部材で構成するとともに、前記証紙の大きさよりも僅かに小さい範囲を除く部分を不透明色で着色して形成することができる。
【００３５】
この発明により、証紙シートは、証紙をより見栄えよく視認可能に貼付することができる。  
具体的には、証紙シートは、着色していない部分を介して証紙を視認可能にできるため、遊技者と対面する面とは逆側の面に対して証紙を貼付することができる。
【００３６】
この際、証紙シートは、証紙の周縁が遊技者などに視認されることを阻止できる。このため、例えば、所定の位置に対して証紙が僅かに傾いて貼付された場合であっても、証紙シートは、証紙の見栄えが低下することを抑制できる。
【００３７】
加えて、証紙シートは、例えば、証紙の貼付位置をガイドする枠線を逆側の面に設けることができる。この際、証紙シートは、着色されているため、遊技者などに枠線が視認されることを阻止できる。このため、証紙シートは、枠線をガイドにして証紙をより見栄えよく貼付することができる。  
従って、証紙シートは、貼付した証紙を視認可能にして着色したことにより、証紙をより見栄えよく貼付することができる。
【００３８】
また、この発明は、上述した証紙シートと、該証紙シートに貼付した証紙と、遊技機の前扉に設けるとともに、遊技者と対面する前面部分が傾斜した受け皿本体とで構成し、前記受け皿本体に、前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備えた受け皿ユニットであることを特徴とする。
【００３９】
この発明により、シート装着部に対して、よりスムーズに挿入可能な形状に形成した証紙シートによって、シート装着部と証紙シートとの接触抵抗を低減して、証紙シートを受け皿本体にスムーズに装着できる受け皿ユニットを構成することができる。
【００４０】
さらに、受け皿ユニットは、証紙シート、証紙、及び受け皿本体で構成しているため、例えば、証紙が載置されるプレートや、該プレートを保持する保持部材など不要にして、部品点数を削減することができる。  
従って、受け皿ユニットは、部品点数の増加を抑えるとともに、組付け性を損なうことなく証紙を視認可能にできる。
【００４１】
また、この発明は、弾性、及び可撓性を有する略帯状の証紙シートと、該証紙シートに貼付した証紙と、遊技機の前扉に設けるとともに、遊技者と対面する前面部分が傾斜した受け皿本体とで構成し、前記証紙シートの先端近傍に、前記遊技機における左右方向の外側から内側に向けて、前記前扉に形成した係止部に係止可能な係止開口孔を開口形成し、前記受け皿本体に、前記証紙を視認可能にする表示窓を有する前記前面部分及び前記前扉に当接する側面部分の内部に形成されるとともに、前記前扉に開口形成した開口部と連通する内部空間によって構成され、前記証紙シートの挿入を許容するシート装着部を備え、前記シート装着部を、前記前面部分に対応する部分に対して前記側面部分に対応する部分が斜交するように形成した受け皿ユニットであることを特徴とする。
【００４２】
この発明により、部品点数の増加を抑えるとともに、組付け性を損なうことなく証紙を視認可能にできる。  
具体的には、貯留した遊技媒体を取り出し易いように前面部分が傾斜した受け皿本体に対して、略帯状の証紙シートを配置した場合、略帯状の証紙シートは、側面部分に位置する部分が前面部分の傾斜によって、上方あるいは下方に傾くように配置される。
【００４３】
そこで、例えば、側面部分に位置する部分が上方に傾くように配置された証紙シートの装着状態に対応するようにシート装着部を形成することにより、受け皿ユニットは、シート装着部と証紙シートとの接触抵抗を低減することができる。詳述すると、シート装着部は、側面部分に位置する部分が上方に傾くように配置された略帯状の証紙シートの装着状態と略同一あるいは略相似する形状に形成している。このため、シート装着部は、略帯状の証紙シートとの接触抵抗を低減でき、証紙シートの挿入を容易にすることができる。
【００４４】
換言すると、シート装着部において、証紙シートが配置される仮想面を展開した展開形状は、前面部分に対応する部分と側面部分に対応する部分とが連続する平面視略矩形の展開形状となる。すなわち、シート装着部の展開形状は、証紙シートの形状と略同一あるいは略相似形となる。これにより、受け皿ユニットは、シート装着部と証紙シートとの接触抵抗を低減して、略帯状の証紙シートをシート装着部にスムーズに挿入することができる。
【００４５】
さらに、受け皿ユニットは、証紙シート、証紙、及び受け皿本体で構成しているため、例えば、証紙が載置されるプレートや、該プレートを保持する保持部材など不要にして、部品点数を削減することができる。  
従って、受け皿ユニットは、証紙シートをスムーズに挿入できる形状にシート装着部を形成したことにより、部品点数の増加を抑えるとともに、組付け性を損なうことなく証紙を視認可能にできる。
【００４６】
なお、証紙シートは、略直線状の形状、あるいは斜交した形状としてもよい。この際、斜交した形状の証紙シートを斜交したシート装着部に挿入することで、受け皿ユニットは、証紙シートとシート装着部との接触抵抗をより低減することができる。
【００４７】
この発明の態様として、前記シート装着部に、前記証紙シートの挿入を案内する案内部分を形成することができる。  
この発明により、受け皿ユニットは、証紙シートの挿入をより容易にすることができる。
【００４８】
具体的には、前面部分と側面部分との境界近傍が屈曲しているため、受け皿本体は、側面部分から前面部分へと証紙シートをスムーズに挿入案内することが難しい。このため、例えば、シート装着部における側面部分と前面部分との屈曲箇所において、証紙シートのスムーズな挿入が阻害されると、証紙シートが座屈変形するおそれがある。
【００４９】
そこで、シート装着部に案内部分を設けることで、受け皿本体は、証紙シートの装着をよりスムーズにすることができる。例えば、前面部分と側面部分との境界近傍に案内部分を設けることで、受け皿本体は、側面部分から前面部分へと証紙シートを挿入案内することができる。  
従って、受け皿ユニットは、案内部分によって証紙シートの挿入をより容易にすることで、組付け性を損なうことを防止できる。
【００５０】
また、この発明は、上述した受け皿ユニットと、該受け皿ユニットの側面部分が当接する箇所に、前記受け皿ユニットのシート装着部と連通するように開口形成した開口部を有する前扉とを備え、前記開口部の近傍に、前記前扉における左右方向の外方側から内方側へ向けて形成するとともに、証紙シートにおける第２シート部の係止開口孔が係止される係止部を備えた遊技機であることを特徴とする。
【００５１】
この発明により、部品点数の増加を抑えるとともに、組付け性を損なうことなく証紙を視認可能にできる遊技機を構成することができる。 
具体的には、受け皿本体の前面部分と側面部分との境界近傍において、証紙シートが屈曲するため、第２シート部には、弾性部材による弾性力が遊技機における側方外側へ向けて作用する。このため、証紙シートは、弾性力によって、第２シート部の係止開口孔を前扉の係止部に容易に係止することができる。
【００５２】
これにより、遊技機は、シート装着部に挿入した証紙シートを前扉に容易に固定することができる。この際、証紙シートの弾性力によって、遊技機は、係止開口孔と係止部との係止が容易に解除されることを防止できる。このため、遊技機は、証紙シートの脱落を容易に防止することができる。
【００５３】
さらに、遊技機は、例えば、前扉や受け皿本体と証紙シートとを固定する固定部材を別体で設けることを不要にできる。加えて、弾性力によって係止できるため、遊技機は、第２シート部の係止開口孔を前扉の係止部に係止する手間を省くことができる。  
従って、遊技機は、証紙シートの弾性力によって、第２シート部の係止開口孔を前扉の係止部に係止することで、部品点数を増加することなく、証紙シートの脱落を防止することができる。
【発明の効果】
【００５４】
本発明により、部品点数の増加を抑えるとともに、組付け性を損なうことなく証紙を視認可能にできる証紙シート、受け皿ユニット、及び遊技機を提供することができる。
【図面の簡単な説明】
【００５５】
【図１】スロットマシンにおける前方上方からの外観を示す外観斜視図。
【図２】スロットマシンにおける内部構成を示すブロック図。
【図３】受け皿ユニットの前方上方からの外観を示す外観斜視図。
【図４】受け皿ユニット及び受け皿本体の後方下方からの外観を説明する説明図。
【図５】受け皿ユニットにおける構成要素を示す分解斜視図。
【図６】受け皿ユニットにおける正面視の外観を示す正面図。
【図７】図６中のＡ−Ａ矢視断面図。
【図８】図７中のＢ−Ｂ矢視断面図。
【図９】図８中の要部を拡大した要部拡大図。
【図１０】証紙シートを取り除いた状態における図８中の要部を拡大した要部拡大図。
【図１１】図６中のＣ−Ｃ矢視断面図。
【図１２】平面視における証紙シートを説明する説明図。
【図１３】受け皿本体に証紙シートを挿入する工程を説明する説明図。
【発明を実施するための形態】
【００５６】
この発明の一実施形態を以下図面と共に説明する。  
まず、本実施形態におけるスロットマシン１について、図１及び図２を用いて詳しく説明する。
【００５７】
なお、図１はスロットマシン１における前方上方からの外観斜視図を示し、図２はスロットマシン１における内部構成のブロック図を示している。  
また、図１中において、矢印Ｘは前後方向を示し（以下「前後方向Ｘ」とする）、矢印Ｙは左右方向を示している（以下、「左右方向Ｙ」とする）。
【００５８】
また、前後方向Ｘにおける前扉２側を前方とし、前後方向Ｘにおける筐体本体３側を後方とし、左右方向Ｙにおける図１中の右側を右方向とし、左右方向Ｙにおける図１中の左側を左方向とする。さらに、図１中の上側を上方とし、図１中の下側を下方とする。
【００５９】
スロットマシン１は、図１に示すように、正面視略矩形の箱状体であって、利用者と対面する前扉２と、前方側が開口した筐体本体３とで構成している。なお、前扉２は、筐体本体３の前方左端を回転中心にして開閉可能に取り付けられている。
【００６０】
前扉２における遊技者と対面する表面部分は、図１に示すように、上部に配置した液晶モニタ２０ａ、及び２つの上部スピーカー２１と、周縁に沿って配置した７つの演出ランプ２２と、略中央に配置した表示窓２３、及び操作部２５と、下部に配置した化粧パネル部２７、２つの下部スピーカー２８、メダル排出口２９、及び受け皿ユニット３０とで構成している。  
なお、前扉２は、スロットマシン１の機種名などを特定する意匠パネル（図示省略）、及び液晶モニタ２０ａや受け皿ユニット３０などを、基材である前扉フレーム２ａ（図３参照）に装着固定して構成している。
【００６１】
一方、詳細な図示を省略した筐体本体３の内部には、図２に示すように、複数の図柄が描かれたリールユニット４０、入賞に応じてメダルを払い出すメダル払出装置５０と、内部抽選を行うとともに各部を制御するメイン制御装置６０と、抽選結果に基づいて各種演出を制御するサブ制御装置７０と、各部に電力を供給する電源制御装置（図示省略）とを配置している。
【００６２】
より詳しくは、スロットマシン１は、図１及び図２に示すように、前扉２に配置した液晶ユニット２０、上部スピーカー２１、演出ランプ２２、表示窓２３、照明ランプ２４、操作部２５、メダルセレクター２６、化粧パネル部２７、下部スピーカー２８、メダル排出口２９、及び受け皿ユニット３０と、筐体本体３に配置したリールユニット４０、メダル払出装置５０、メイン制御装置６０、サブ制御装置７０、及び電源制御装置とで構成している。
【００６３】
液晶ユニット２０は、図２に示すように、液晶モニタ２０ａ、及び液晶制御装置２０ｂとで構成している。  
液晶モニタ２０ａは、図１に示すように、前扉２の上部中央に配置され、遊技中の各種演出画面や操作の案内画面を表示する機能を有している。この液晶モニタ２０ａは、図２に示すように、所定のバスを介して接続された液晶制御装置２０ｂによって制御される。
【００６４】
液晶制御装置２０ｂは、前扉２の裏面部分に配置されるとともに、図示を省略したＣＰＵ、ＲＡＭ、及びＲＯＭなどで構成している。この液晶制御装置２０ｂは、図２に示すように、所定のバスを介して接続された後述するサブ制御装置７０の指示により、遊技の進行に応じた各種演出画面や操作の案内画面などを示す画面情報を液晶モニタ２０ａに出力する機能を有している。
【００６５】
上部スピーカー２１は、図１に示すように、液晶モニタ２０ａの左右両端に配置されている。この上部スピーカー２１は、図２に示すように、所定のバスを介して接続されたサブ制御装置７０から遊技の進行に応じて出力された音声信号を音声として出力する機能を有している。
【００６６】
演出ランプ２２は、図１に示すように、前扉２の周縁に沿って６つ配置するとともに、発光色の異なる複数のＬＥＤなどで構成している。この演出ランプ２２は、所定のバスを介して接続したサブ制御装置７０の指示により、遊技の進行に応じて発光色の変更、点灯、点滅、あるいは消灯する機能を有している。
【００６７】
表示窓２３は、図１に示すように、前扉２の略中央に配置され、後述するリールユニット４０の一部分やクレジット枚数の表示などを視認可能な透明部分（図示省略）と、入賞ラインなどをプリントした不透明部分（図示省略）とを一体にして構成している。なお、前扉２の裏面部分における表示窓２３の周囲には、裏面から表示窓２３を照明する照明ランプ２４が配置されている。
【００６８】
照明ランプ２４は、ＬＥＤなどで構成され、図２に示すように、所定のバスを介して接続された後述するサブ制御装置７０の指示により、点灯、あるいは消灯する機能を有している。
【００６９】
操作部２５は、図１に示すように、表示窓２３の下方において前方に膨出した部分に配置されたメダル投入口２５ａ、入力ボタンユニット２５ｂ、ＭＡＸＢＥＴボタン２５ｃ、投入精算ボタンユニット２５ｄ、スタートレバー２５ｅ、及び３つのストップボタン２５ｆで構成している。
【００７０】
メダル投入口２５ａは、図１に示すように、操作部２５の上面右端に配置され、遊技者によるメダルの投入を受付ける機能を有している。このメダル投入口２５ａは、前扉２の裏面部分に配置したメダルセレクター２６に接続している。なお、メダルセレクター２６については後ほど説明する。
【００７１】
入力ボタンユニット２５ｂは、図１に示すように、操作部２５における上面略中央に配置され、液晶モニタ２０ａに表示された画面の指示に沿って遊技者による選択押下操作を許容する選択ボタン（図示省略）と、チャンスボタン（図示省略）とで構成している。なお、入力ボタンユニット２５ｂは、図２に示すように、所定のバスを介してサブ制御装置７０に接続されている。
【００７２】
ＭＡＸＢＥＴボタン２５ｃは、図１に示すように、入力ボタンユニット２５ｂの左側に配置されている。このＭＡＸＢＥＴボタン２５ｃは、図２に示すように、所定のバスを介してメイン制御装置６０に接続され、一回の遊技におけるメダルの最大賭け数を、獲得したメダル枚数をデータとして蓄積しているクレジットからセットすることを所望する遊技者の操作を受付ける機能を有している。
【００７３】
投入精算ボタンユニット２５ｄは、図１に示すように、操作部２５の上面左端に配置され、遊技者による押下操作によって、一回の遊技におけるメダルの賭け数を、クレジットから一枚ずつセットする投入ボタン（図示省略）と、クレジットに貯留されているメダルを精算して排出する精算ボタン（図示省略）とで構成している。なお、投入精算ボタンユニット２５ｄは、図２に示すように、所定のバスを介してメイン制御装置６０に接続されている。
【００７４】
スタートレバー２５ｅは、図１に示すように、操作部２５の前面左端に配置されている。このスタートレバー２５ｅは、図２に示すように、所定のバスを介してメイン制御装置６０に接続され、後述するリールユニット４０を構成する各リールの回転開始を所望する遊技者の操作を受付ける機能を有している。
【００７５】
３つのストップボタン２５ｆは、図１に示すように、操作部２５の前面略中央において、左右方向Ｙに沿って並置されている。このストップボタン２５ｆは、３つのリールにそれぞれ対応するように構成するとともに、対応するリールの回転停止を所望する遊技者の操作を受付ける機能を有している。なお、ストップボタン２５ｆは、図２に示すように、所定のバスを介してメイン制御装置６０に接続されている。
【００７６】
メダルセレクター２６は、前扉２の裏面部分において、メダル投入口２５ａに接続されるとともに、メダルの投入を検出する検出センサー（図示省略）、検出したメダルを選別する識別センサー（図示省略）、及びメダルを搬送する搬送路（図示省略）などで構成している。
【００７７】
このメダルセレクター２６は、図２に示すように、所定のバスを介してメイン制御装置６０と接続され、メダルの投入を検出する機能と、メダルを選別する機能と、選別したメダルを後述するメダル払出装置５０、あるいはメダル排出口２９に排出する機能とを有している。
【００７８】
化粧パネル部２７は、図１に示すように、操作部２５の下方に配置され、スロットマシン１の機種名を示すイラストなどがプリントされたパネルと、パネルを照明するバックライトなどで構成している。
【００７９】
下部スピーカー２８は、図１に示すように、化粧パネル部２７の下方における左右両端に配置されている。この下部スピーカー２８は、図２に示すように、所定のバスを介して接続されたサブ制御装置７０から遊技の進行に応じて出力された音声信号を音声として出力する機能を有している。
【００８０】
メダル排出口２９は、図１に示すように、化粧パネル部２７の下方における略中央に配置され、メダルセレクター２６、あるいは後述する筐体本体３に配置したメダル払出装置５０から搬送されたメダルを受け皿ユニット３０に排出するように構成している。
【００８１】
受け皿ユニット３０は、図１に示すように、前扉２の下部において前方に向けて配置され、メダル排出口２９から排出されたメダルを貯留可能に構成している。なお、受け皿ユニット３０については、後ほど詳しく説明する。
【００８２】
リールユニット４０は、筐体本体３の略中央に配置されて、複数の図柄がプリントされるとともに、同軸回転可能にして左右方向Ｙに並置した左リール、中リール、及び右リールと、各リールを独立して回転駆動するステッピングモーター（図示省略）と、各リールの回転位置を検出する回転検出センサー（図示省略）などで構成している。
【００８３】
このリールユニット４０は、図２に示すように、所定のバスを介して接続されたメイン制御装置６０の指示によって、ステッピングモーターが回転制御され、各リールを独立して回転、あるいは停止する機能を有している。
【００８４】
メダル払出装置５０は、図２に示すように、所定のバスを介してメイン制御装置６０に接続され、メダル投入口２５ａから投入されたメダルを貯留する機能と、遊技の進行に応じてメダル排出口２９を介してメダルを排出する機能とを有している。なお、メダル払出装置５０には、溢れ出したメダルを貯留するとともに、脱着可能な補助タンク（図示省略）を備えている。
【００８５】
メイン制御装置６０は、図２に示すように、メイン側ＣＰＵ６１、メイン側ＲＯＭ６２、メイン側ＲＡＭ６３、及び送信部６４などのハード構成と、プログラム、及びデータ等のソフト構成とで構成している。このメイン制御装置６０は、図示を省略したハーネスを介して接続されたサブ制御装置７０への各種情報の送信にかかる各種処理機能や、所定のバスを介して接続された入力ボタンユニット２５ｂを除く操作部２５の各部、メダルセレクター２６、リールユニット４０、及びメダル払出装置５０の動作を制御する制御機能を有している。
【００８６】
メイン側ＲＯＭ６２には、メイン制御装置６０において実行される各種プログラムと、各リールにプリントされた図柄の並びを登録した図柄テーブル（図示省略）と、入賞役、当選確率、及び払出し枚数などを関連付けて登録した入賞テーブル（図示省略）などを記憶している。  
メイン側ＲＡＭ６３は、各種情報を書き込む機能と、記憶した各種情報を読み出す機能とを有している。
【００８７】
送信部６４は、メイン側ＣＰＵ６１の指示によって、サブ制御装置７０に対して各種情報を送信する機能を有している。なお、メイン制御装置６０とサブ制御装置７０との間において、各種情報は、メイン制御装置６０からサブ制御装置７０への一方向にのみ送信されるものとする。
【００８８】
サブ制御装置７０は、図２に示すように、サブ側ＣＰＵ７１、サブ側ＲＯＭ７２、サブ側ＲＡＭ７３、及び受信部７４などのハード構成と、プログラム、及びデータ等のソフト構成とで構成している。このサブ制御装置７０は、所定のバスを介して接続された上部スピーカー２１、演出ランプ２２、照明ランプ２４、入力ボタンユニット２５ｂ、下部スピーカー２８、及び液晶ユニット２０の動作を制御する制御機能を有している。
【００８９】
サブ側ＲＯＭ７２には、サブ制御装置７０において実行される各種プログラムと、遊技の進行に応じて液晶モニタ２０ａに表示される演出画面などの画面情報などを記憶している。  
サブ側ＲＡＭ７３は、各種情報を書き込む機能と、記憶した各種情報を読み出す機能とを有している。
【００９０】
受信部７４は、メイン制御装置６０から送信された各種情報を受信する機能と、受信した各種情報をサブ側ＣＰＵ７１に受け渡す機能とを有している。  
電源制御装置は、外部から供給される電力を制御する機能と、制御した電力を上述した各部に供給する機能とを有している。
【００９１】
このような構成のスロットマシン１は、遊技者が一回の遊技における最大賭け数のメダルをメダル投入口２５ａに投入する、あるいはＭＡＸＢＥＴボタン２５ｃを押下操作して、一回の遊技におけるメダルの最大賭け数をクレジットからセットし、スタートレバー２５ｅを操作することで、リールユニット４０が回転開始する。
【００９２】
その後、遊技者が、３つのストップボタン２５ｆを任意のタイミングで押下することで、ストップボタン２５ｆに対応したリールが停止する。リールにプリントされた図柄が揃えば、図柄に応じてメダルがクレジットに貯留される、あるいはメダル排出口２９から排出される。このようにして、遊技者は、スロットマシン１における遊技を楽しむ。
【００９３】
引き続き、上述した受け皿ユニット３０について、図３から図１２を用いて詳しく説明する。  
なお、図３は受け皿ユニット３０の前方上方からの外観斜視図を示し、図４は受け皿ユニット３０及び受け皿本体３１の後方下方からの外観を説明する説明図を示し、図５は受け皿ユニット３０における構成要素の分解斜視図を示し、図６は受け皿ユニット３０の正面図を示している。
【００９４】
さらに、図７は図６中のＡ−Ａ矢視断面図を示し、図８は図７中のＢ−Ｂ矢視断面図を示し、図９は図８中の要部を拡大した要部拡大図を示し、図１０は証紙シート３２を取り除いた状態における図８中の要部を拡大した要部拡大図を示し、図１１は図６中のＣ−Ｃ矢視断面図を示し、図１２は平面視における証紙シート３２を説明する説明図を示している。
【００９５】
また、図３において、図示を簡略化するため前扉フレーム２ａの下部のみを図示している。また、図４において、図４（ａ）は受け皿ユニット３０を示し、図４（ｂ）は受け皿本体３１を示している。また、図１１において前扉フレーム２ａの図示を省略している。また、図１２において、図１２（ａ）は証紙シート３２における表面を示し、図１２（ｂ）は証紙シート３２における裏面を示している。
【００９６】
受け皿ユニット３０は、図３及び図４に示すように、前扉２の基材である前扉フレーム２ａに装着されるとともに、前扉フレーム２ａを後面部分とすることで略皿状となるように構成している。  
前扉フレーム２ａは、意匠パネル、液晶ユニット２０、演出ランプ２２などの装着を許容する形状に形成している。この前扉フレーム２ａには、図５のＷ部拡大図に示すように、正面視において、右側下方端部近傍に前後方向Ｘに開口する開口部２ｂを形成している。
【００９７】
この開口部２ｂは、図９に示すように、後方から証紙シート３２の挿入を許容するとともに、後述する受け皿ユニット３０のシート装着部Ｓと連通するように開口形成している。さらに、開口部２ｂにおける後方右側の面には、左方向に向けて突設するとともに、先端が前方に屈曲した鍵爪状の係止部２ｃを形成している。
【００９８】
受け皿ユニット３０は、図４及び図５に示すように、後述する受け皿本体３１に設けた複数のネジ螺合部３４２ａ，３４３ａ，３４４ａに、前扉フレーム２ａに開口形成した複数のネジ挿通孔（図示省略）を介して図示を省略したネジを螺合することで、前扉フレーム２ａに装着固定している。
【００９９】
さらに、受け皿ユニット３０は、図５及び図６に示すように、正面視において、後述する証紙シート３２に貼付した３つの証紙３３を、後述する証紙表示窓３５を介して視認可能に構成している。
【０１００】
この証紙３３は、公的な第三者検査機関によって、スロットマシン１が法令等の規定に適合していることを示すものや、第三者が所有する特許権の使用許諾を受けていることを示すものである。なお、証紙３３は、証紙シート３２に対して前後方向Ｘの後方から貼付可能に構成している。
【０１０１】
このような受け皿ユニット３０を詳述すると、受け皿ユニット３０は、図５に示すように、前扉フレーム２ａに装着する受け皿本体３１と、略シート状の証紙シート３２と、証紙シート３２に貼付された証紙３３とで構成している。
【０１０２】
受け皿本体３１は、図５に示すように、前扉フレーム２ａに装着する皿本体部３４と、皿本体部３４の前面に装着する証紙表示窓３５、及び皿本体部３４における底面に装着する底部カバー３６で構成している。
【０１０３】
皿本体部３４は、図５に示すように、遊技者と対面する前方部分３４１と、前方部分３４１の左右両端に配置した右側方部分３４２及び左側方部分３４３と、略皿状の底面部分となる底部分３４４とを合成樹脂の射出成型によって一体形成している。
【０１０４】
前方部分３４１は、図５及び図６に示すように、前扉フレーム２ａにおける左右方向Ｙの幅と略同等の左右方向Ｙの幅で形成するとともに、図８に示すように、平面視において、左右方向Ｙの略中央が前方に僅かに凸するように湾曲させて形成している。
【０１０５】
なお、この前方部分３４１は、図７に示すように、側面視において、下方縁部に対して上方縁部が前方に位置するように傾斜して形成している。換言すると、前方部分３４１は、遊技者側の面が略斜め下方を向くように形成している。さらに、前方部分３４１における略右半分には、図５及び図９に示すように、左右方向Ｙを長手方向とする正面視略矩形で、遊技者側の面を後方に向けて凹設して段付き形状に形成した段付き部分３４５を有している。
【０１０６】
右側方部分３４２、及び左側方部分３４３は、図４及び図５に示すように、前方部分３４１における左右方向Ｙの両端からそれぞれ後方に向けて延設した内部中空形状に形成している。この右側方部分３４２及び左側方部分３４３は、正面視において、外側面が略鉛直になるよう形成するとともに、平面視において、外側面の前方側が左右方向Ｙの内側に向けて湾曲した形状に形成している。なお、右側方部分３４２、及び左側方部分３４３には、前扉フレーム２ａに固定するためのネジ螺合部３４２ａ，３４３ａをそれぞれ備えている。
【０１０７】
また、右側方部分３４２における内面の左側上部には、図４（ｂ）及び図１１に示すように、右方向へ向けて膨出するとともに、前方部分３４１の段付き部分３４５と連続する案内壁３４２ｂを形成している。さらに、右側方部分３４２における内面の右側前方には、図９及び図１１に示すように、左方向に向けて突設した平板状の２つの案内板３４２ｃを形成している。
【０１０８】
そして、右側方部分３４２は、図４及び図９に示すように、案内壁３４２ｂで上下方向の高さが制限されるとともに、前扉フレーム２ａの開口部２ｂと連通する内部空間Ｓ１を形成している。この内部空間Ｓ１は、開口部２ｂを介して後方から証紙シート３２の挿入を許容するとともに、後述する証紙シート３２の第２シート部３２２を配置する空間である。
【０１０９】
なお、案内壁３４２ｂは、後方から右側方部分３４２の内部空間Ｓ１に挿入された証紙シート３２の上下方向の位置を案内するように構成している。一方、案内板３４２ｃは、右側方部分３４２から前方部分３４１へと証紙シート３２を案内するように構成している。
【０１１０】
底部分３４４は、図４及び図５に示すように、前扉フレーム２ａ、前方部分３４１、右側方部分３４２、及び左側方部分３４３で囲われて形成された下方開口を閉塞するように形成している。この底部分３４４は、左側方部分３４３に隣接して上方に膨出した部分と、後述する底部カバー３６の載置を許容する部分とを一体にして構成している。なお、底部分３４４には、証紙表示窓３５を固定するネジ３７の挿通を許容するネジ挿通孔（図示省略）と、前扉フレーム２ａに固定するネジの螺合を許容する４つのネジ螺合部３４４ａとを備えている。
【０１１１】
証紙表示窓３５は、図５に示すように、透過性を有する合成樹脂で形成するとともに、受け皿本体３１の前方部分３４１に配置される窓本体部３５１と、底部分３４４の下面側に配置される窓下面部３５２とで、側面視略Ｌ字状に一体形成している。
【０１１２】
窓本体部３５１は、図５及び図６に示すように、正面視において、受け皿本体３１の前方部分３４１における段付き部分３４５と略同等の大きさに形成している。この窓本体部３５１は、図１０に示すように、皿本体部３４に装着した際、前方部分３４１の外面と右側方部分３４２の外面とを滑らかにつなぐ外面形状に形成している。
【０１１３】
さらに、皿本体部３４に装着した際、窓本体部３５１は、証紙シート３２を配置可能な前後方向Ｘの間隔を隔てて、段付き部分３４５と対面する肉厚に形成している。すなわち、皿本体部３４に証紙表示窓３５を装着した際、窓本体部３５１と段付き部分３４５との間に証紙シート３２を配置する内部空間Ｓ２を構成可能にしている。なお、前方部分３４１における内部空間Ｓ２は、上下方向において、右側方部分３４２の内部空間Ｓ１と略同位置となるように形成している。
【０１１４】
窓下面部３５２は、図４及び図５に示すように、皿本体部３４の底部分３４４に装着可能な形状に形成している。さらに、窓下面部３５２には、底部分３４４の下面側に設けた嵌合溝（図示省略）に嵌合する２つの嵌合部３５２ａと、ネジ３７の螺合を許容するネジ螺合部３５２ｂとを上面側に形成している。
【０１１５】
このような証紙表示窓３５を皿本体部３４に組付けることで、図９及び図１０に示すように、右側方部分３４２の内部空間Ｓ１と、前方部分３４１と窓本体部３５１とで構成した内部空間Ｓ２とが連通するとともに、証紙シート３２の挿入及び装着を許容するシート装着部Ｓを形成している。
【０１１６】
底部カバー３６は、図４及び図５に示すように、アルミ合金の薄板を折り曲げて側面視略Ｌ字状に形成している。より詳しくは、底部カバー３６は、受け皿本体３１の底部分３４４における上面を覆うカバー上面部３６１と、カバー上面部３６１の後端から下方に延設するとともに、底部分３４４の後面を覆うカバー背面部３６２とで構成している。なお、底部カバー３６におけるカバー背面部３６２には、ネジ３７の挿通を許容するネジ挿通孔（図示省略）を形成している。
【０１１７】
証紙シート３２は、可撓性及び弾性を有するとともに、透過性を有する略シート状の合成樹脂を、略へ字状に切り抜いて形成している。  
より詳しくは、証紙シート３２は、図５及び図１２に示すように、シート装着部Ｓに装着した装着状態において、受け皿本体３１の前方部分３４１に配置される第１シート部３２１と、右側方部分３４２に配置される第２シート部３２２とで構成するとともに、平面視において、第１シート部３２１と第２シート部３２２とが斜交するようにして一体形成している。
【０１１８】
第１シート部３２１は、図５に示すように、装着状態において、左右方向Ｙが長手方向となる略帯状に形成している。この第１シート部３２１は、図１２に示すように、装着状態における上辺及び下辺に対応する２つの辺が、装着状態における上方に向けて凸するように僅かに湾曲させて形成している。
【０１１９】
第２シート部３２２は、図５及び図９に示すように、装着状態において、前後方向Ｘが長手方向となる略帯状に形成するとともに、前扉２の開口部２ｂから先端が露出する長さに形成している。さらに、第２シート部３２２における先端近傍には、前扉フレーム２ａの係止部２ｃに係止可能な大きさで開口した係止開口孔３２３を形成している。
【０１２０】
この第２シート部３２２は、図１２に示すように、装着状態における上辺に対応する辺の上辺側長さＬ１に対して、装着状態における下辺に対応する辺の下辺側長さＬ２が短くなるように形成している。
【０１２１】
このような第１シート部３２１と第２シート部３２２とを、装着状態においてシート装着部Ｓに沿って配置されるように、それぞれの長手方向が斜交するようにして一体形成している。
【０１２２】
詳述すると、証紙シート３２は、図１２に示すように、平面視において、第１シート部３２１における長手方向に延びる中心軸Ｃｔ１と、第２シート部３２２における長手方向に延びる中心軸Ｃｔ２とが斜め方向に交わるようにして、第１シート部３２１と第２シート部３２２とを略へ字状に一体形成している。
【０１２３】
この際、証紙シート３２は、略水平に配置された第１シート部３２１の中心軸Ｃｔ１に対して、第２シート部３２２の中心軸Ｃｔ２が斜め下方から交わるように、第１シート部３２１と第２シート部３２２とを一体形成している。
【０１２４】
換言すると、証紙シート３２は、シート装着部Ｓにおける証紙シート３２が配置される仮想面を展開した展開形状に対して、略相似形となるように第１シート部３２１の長手方向と第２シート部３２２の長手方向とが斜交するようにして一体形成している。
【０１２５】
そして、証紙シート３２は、第１シート部３２１における証紙３３が貼付される位置において、証紙３３を視認可能にした３つの透過部分３２４を形成している。なお、証紙シート３２は、透過部分３２４を除く部分を黒色塗装している。
【０１２６】
この透過部分３２４は、証紙３３より僅かに小さい大きさの略相似形に構成している。さらに、３つの透過部分３２４は、第１シート部３２１の上辺及び下辺の湾曲に沿うように配置するとともに、シート装着部Ｓに装着した際、正面視において、左右方向Ｙに沿って平行に並置されるように、上下方向に僅かにずらして配置している。
【０１２７】
加えて、装着状態において、遊技者と対面する面とは逆側となる第１シート部３２１の後面には、図１２（ｂ）に示すように、透過部分３２４の周囲に証紙３３の大きさと略同一の大きさで、かつ所定の線幅で白色塗装した枠線３２５を備えている。
【０１２８】
引き続き、上述した証紙シート３２に証紙３３を貼付するとともに、皿本体部３４に、証紙表示窓３５、底部カバー３６、及び証紙シート３２を装着する方法について、図１３を用いて詳しく説明する。
【０１２９】
なお、図１３は受け皿本体３１に証紙シート３２を挿入する工程を説明する説明図を示し、図１３（ａ）は受け皿本体３１に証紙シート３２を挿入する第１工程を説明する説明図を示し、図１３（ｂ）は受け皿本体３１に証紙シート３２を挿入する第２工程を説明する説明図を示し、図１３（ｃ）は受け皿本体３１に証紙シート３２を装着した状態を説明する説明図を示している。また、図１３において前扉フレーム２ａの図示を省略するとともに、受け皿本体３１を図６中のＣ−Ｃ矢視断面で図示している。
【０１３０】
まず、枠線３２５と証紙３３とが略一致するように位置を合せて、前後方向Ｘの後方から証紙３３を証紙シート３２の後面に貼付する。  
次に、皿本体部３４に対して、証紙表示窓３５を前方から装着する。この際、皿本体部３４における底部分３４４の嵌合溝に対して、証紙表示窓３５の嵌合部３５２ａ、及びネジ螺合部３４４ａを嵌合させて装着する。
【０１３１】
そして、皿本体部３４の底部分３４４に対して、底部カバー３６を上方から載置したのち、底部カバー３６のネジ挿通孔、及び皿本体部３４のネジ挿通孔を介して、後方からネジ３７を証紙表示窓３５のネジ螺合部３４４ａに螺合して、受け皿本体３１を構成する。
【０１３２】
その後、受け皿本体３１を、前扉フレーム２ａの下部に装着するとともに、前扉フレーム２ａのネジ挿通孔を介して、後方からネジを皿本体部３４のネジ螺合部３４２ａ，３４３ａ，３４４ａに螺合して締結する。  
前扉フレーム２ａに受け皿本体３１を固定すると、図１３に示すように、前扉フレーム２ａの開口部２ｂを介して、前後方向Ｘの後方から証紙シート３２をシート装着部Ｓに挿入する。
【０１３３】
より詳しくは、図１３（ａ）に示すように、装着状態において遊技者と対面する面、すなわち枠線３２５を設けていない面を左右方向Ｙの右方向に向けた証紙シート３２を、第１シート部３２１の長手方向と前後方向Ｘとが略一致するようにして、後方から前扉フレーム２ａの開口部２ｂを介して受け皿本体３１の右側方部分３４２に挿入する。
【０１３４】
この際、右側方部分３４２の案内壁３４２ｂが上下方向の位置を案内するとともに、案内板３４２ｃが第１シート部３２１の屈曲を補助して、前方部分３４１の内部空間Ｓ２へ証紙シート３２を案内する。
【０１３５】
そして、案内壁３４２ｂ及び案内板３４２ｃの挿入案内によって、第１シート部３２１は、右方向を向いていた面が前方向を向くように屈曲して、前方部分３４１の内部空間Ｓ２に挿入される。この際、前方部分３４１が斜め下方に傾斜しているため、内部空間Ｓ２に挿入された第１シート部３２１は、前方部分３４１の傾斜に沿うように、遊技者と対向する面が斜め下方を向くように湾曲する。このため、証紙シート３２には、前方部分３４１と右側方部分３４２との境界近傍において捩れが生じる。
【０１３６】
この捩れによって、右側方部分３４２の内部空間Ｓ１に位置する証紙シート３２に対して、図１３（ｂ）に示すように、第２シート部３２２の先端を上方に持ち上げるような負荷が作用する。この際、内部空間Ｓ１に位置する証紙シート３２は、右側方部分３４２の案内壁３４２ｂに接触して上方への傾きを制限される。
【０１３７】
その後、シート装着部Ｓへの証紙シート３２の挿入に伴って、証紙シート３２は、第２シート部３２２の上辺及び下辺が略水平になるように、その傾きを変化させながら挿入される。
【０１３８】
そして、前方部分３４１の内部空間Ｓ２に第１シート部３２１が配置されるともに、右側方部分３４２の内部空間Ｓ１に第２シート部３２２が配置される、すなわちシート装着部Ｓに対して証紙シート３２が完全に挿入されると、図１３（ｃ）に示しように、第２シート部３２２の上辺及び下辺が略水平となる。
【０１３９】
この際、第２シート部３２２の係止開口孔３２３が、図９に示すように、前扉フレーム２ａの係止部２ｃと前後方向Ｘにおいて略同位置となる。このため、証紙シート３２の弾性力によって、第２シート部３２２の係止開口孔３２３が、前扉フレームの係止部２ｃに係止される。
【０１４０】
以上のような構成を実現する証紙シート３２、受け皿ユニット３０、及びスロットマシン１は、部品点数の増加を抑えるとともに、組付け性を損なうことなく証紙３３を視認可能にできる。
【０１４１】
具体的には、例えば、略鉛直な前方部分を有する受け皿本体の場合、シート装着部において、証紙シートが配置される仮想面を展開した展開形状が平面視略矩形となる。このため、シート装着部に略帯状の証紙シートを挿入すると、略帯状の証紙シートは、シート装着部に対してスムーズに挿入することができる。
【０１４２】
ところが、貯留したメダルを取り出し易いように前方部分３４１が傾斜した受け皿本体３１の場合、シート装着部Ｓの展開形状が、前方部分３４１の一辺と連続する右側方部分３４２の一辺が前方部分３４１の一辺に対して屈曲するように斜交した形状となる。
【０１４３】
このため、前方部分３４１が傾斜した受け皿本体３１のシート装着部Ｓに挿入すると、略帯状の証紙シートは、シート装着部Ｓにおける前方部分３４１と右側方部分３４２との屈曲箇所などと接触し易くなる。さらに、シート装着部Ｓに挿入した略帯状の証紙シートが前方部分３４１に到達すると、証紙シートにおける右側方部分３４２に位置する部分が、前方部分３４１の傾斜によって上方に傾けられる。
【０１４４】
加えて、シート装着部Ｓにおける内部空間の大きさが限られているため、略帯状の証紙シートは、前方部分３４１の傾斜、及び内部空間の制限によって捩れるようにしてシート装着部Ｓに挿入される。このため、略帯状の証紙シートは、前方部分３４１に対応する部分と右側方部分３４２に対応する部分とが斜交した展開形状のシート装着部Ｓにおける屈曲箇所や右側方部分３４２と接触することによる接触抵抗が大きくなり、スムーズに挿入することができない。
【０１４５】
そこで、第１シート部３２１と第２シート部３２２とが斜交するように一体形成することで、証紙シート３２は、シート装着部Ｓに沿うように挿入することができる。より詳しくは、第１シート部３２１が前方部分３４１に到達した際、第２シート部３２２が前方部分３４１の傾斜によって上方に傾けられても、第２シート部３２２は、第１シート部３２１に対して斜交して形成しているため、シート装着部Ｓの右側方部分３４２との接触面積を低減することができる。
【０１４６】
これにより、証紙シート３２は、シート装着部Ｓとの接触抵抗を大幅に低減することができる。このため、証紙シート３２は、シート装着部Ｓに対してスムーズに挿入することができる。さらに、第１シート部３２１に対して第２シート部３２２が斜交しているため、シート装着部Ｓに装着した状態において、証紙シート３２は、第２シート部３２２が略水平に配置されるようにすることができる。
【０１４７】
加えて、前扉フレーム２ａの開口部２ｂから露出するように第２シート部３２２を形成しているため、証紙シート３２は、シート装着部Ｓへの挿入を容易にするだけでなく、例えば、前扉フレーム２ａの開口部２ｂからの露出状態によって、証紙シート３２がシート装着部Ｓに正常に装着されているか否かを目視によって容易に確認できる。
【０１４８】
さらにまた、証紙３３を貼付した証紙シート３２をシート装着部Ｓに挿入するだけで受け皿本体３１に視認可能に装着できるため、証紙シート３２は、例えば、証紙３３を載置するプレートや、該プレートを保持する部材などを不要にすることができる。  
従って、証紙シート３２は、第１シート部３２１と第２シート部３２２とが斜交するように一体形成したことにより、部品点数の増加を抑えるとともに、組付け性を損なうことなく証紙３３を視認可能にできる。
【０１４９】
また、装着状態における上辺に対応する辺の上辺側長さＬ１に対して、装着状態における下辺に対応する辺の下辺側長さＬ２が短くなるように第２シート部３２２を形成したことにより、証紙シート３２は、受け皿本体３１に装着した際の見栄えを良くすることができる。
【０１５０】
具体的には、受け皿本体３１における右側方部分３４２の上端及び下端に対応する第２シートの上辺及び下辺の長さを略同等にすると、シート装着部Ｓに装着した際、証紙シート３２は、前扉フレーム２ａから露出する第２シート部３２２の先端が傾いたように装着される。このため、証紙シート３２は、受け皿本体３１に装着された際の見栄えが低下し、かつ正しく装着されていないと判断されるおそれがある。
【０１５１】
そこで、第２シート部３２２における上辺側長さＬ１に対して下辺側長さＬ２を短く形成することで、前扉フレーム２ａから露出した第２シート部３２２における先端の辺が、略鉛直になるように装着することができる。
【０１５２】
すなわち、証紙シート３２は、第２シート部３２２を上述の形状に形成することにより、装着された際の見栄えを良くすることができる。さらに、前扉フレーム２ａから露出した第２シート部３２２の先端の見栄えを良くすることで、証紙シート３２は、正しく装着されていることの確認を容易にすることができる。  
従って、証紙シート３２は、上辺と下辺との長さが異なる形状に第２シート部３２２を形成することで、受け皿本体３１に装着した際の見栄えを良くすることができる。
【０１５３】
また、装着状態における上辺及び下辺に対応する２つの辺が、装着状態における上方に向けて凸するように僅かに湾曲させて第１シート部３２１を形成したことにより、証紙シート３２は、シート装着部Ｓに対して、よりスムーズに挿入することができる。
【０１５４】
具体的には、平面視において、受け皿本体３１の前方部分３４１が遊技者側へ僅かに湾曲した形状の場合、シート装着部Ｓの展開形状は、前方部分３４１に対応する部分が上方に向けて僅かに凸するように湾曲した形状となる。
【０１５５】
このため、例えば、第１シート部３２１が略矩形の証紙シートでは、受け皿ユニット３０に装着された際、証紙表示窓３５を介して第１シート部３２１が傾いて見える、あるいはシート装着部Ｓとの間に隙間が生じるなどして見栄えが低下するおそれがある。
【０１５６】
そこで、上方に向けて凸するように湾曲した形状に第１シート部３２１を形成することで、証紙シート３２は、証紙表示窓３５を介して第１シート部３２１が傾いて視認されることを抑制して、装着された際の見栄えの低下を抑制することができる。
【０１５７】
さらに、第１シート部３２１を湾曲した形状に形成することで、証紙シート３２は、シート装着部Ｓにおける前方部分３４１との接触抵抗を抑制することができ、よりスムーズに挿入することができる。  
従って、証紙シート３２は、第１シート部３２１を上方に湾曲する形状に形成したことにより、組付け性を損なうことなく、受け皿本体３１に装着した際の見栄えをより良くすることができる。
【０１５８】
また、透過性を有する透過性部材で構成するとともに、透過部分３２４を除く範囲を黒色塗装して形成したことにより、証紙シート３２は、証紙３３をより見栄えよく視認可能に貼付することができる。
【０１５９】
具体的には、証紙シート３２は、透過部分３２４を介して証紙３３を視認可能にできるため、遊技者と対面する面とは逆側の面に対して証紙３３を貼付することができる。  
この際、証紙シート３２は、証紙３３の周縁が遊技者などに視認されることを阻止できる。このため、例えば、透過部分３２４に対して証紙３３が僅かに傾いて貼付された場合であっても、証紙シート３２は、証紙３３の見栄えが低下することを抑制できる。
【０１６０】
加えて、証紙シート３２は、例えば、証紙３３の貼付位置をガイドする枠線３２５を逆側の面に設けることができる。この際、証紙シート３２は、着色されているため、遊技者などに枠線３２５が視認されることを阻止できる。このため、証紙シート３２は、枠線３２５をガイドにして証紙３３をより見栄えよく貼付することができる。  
従って、証紙シート３２は、貼付した証紙３３を視認可能にして着色したことにより、証紙３３をより見栄えよく貼付することができる。
【０１６１】
また、証紙シート３２と、証紙シート３２に貼付した証紙３３と、スロットマシン１の前扉フレーム２ａに設けるとともに、シート装着部Ｓを有する受け皿本体３１とで受け皿ユニット３０を構成したことにより、シート装着部Ｓに対して、よりスムーズに挿入可能な形状に形成した証紙シート３２によって、シート装着部Ｓと証紙シート３２との接触抵抗を低減して、証紙シート３２を受け皿本体３１にスムーズに装着することができる。
【０１６２】
さらに、受け皿ユニット３０は、証紙シート３２、証紙３３、及び受け皿本体３１で構成しているため、例えば、証紙３３が載置されるプレートや、該プレートを保持する保持部材など不要にして、部品点数を削減することができる。  
従って、受け皿ユニット３０は、部品点数の増加を抑えるとともに、組付け性を損なうことなく証紙３３を視認可能になる。
【０１６３】
また、シート装着部Ｓに、証紙シート３２の挿入を案内する案内壁３４２ｂ、及び案内板３４２ｃを形成したことにより、受け皿ユニット３０は、証紙シート３２の挿入をより容易にすることができる。
【０１６４】
具体的には、前方部分３４１と右側方部分３４２との境界近傍が屈曲しているため、受け皿本体３１は、右側方部分３４２から前方部分３４１へと証紙シート３２をスムーズに挿入案内することが難しい。このため、例えば、シート装着部Ｓにおける右側方部分３４２と前方部分３４１との屈曲箇所において、証紙シート３２のスムーズな挿入が阻害されると、証紙シート３２が座屈変形するおそれがある。
【０１６５】
そこで、シート装着部Ｓに案内壁３４２ｂ、及び案内板３４２ｃを設けることで、受け皿本体３１は、証紙シート３２の装着をよりスムーズにすることができる。より詳しくは、案内壁３４２ｂによって、受け皿本体３１は、上下方向における証紙シート３２の挿入を案内することができる。さらに、案内板３４２ｃによって、受け皿本体３１は、右側方部分３４２から前方部分３４１へと証紙シート３２の挿入を案内することができる。  
従って、受け皿ユニット３０は、案内壁３４２ｂ、及び案内板３４２ｃによって証紙シート３２の挿入をより容易にすることで、組付け性を損なうことを防止できる。
【０１６６】
また、受け皿ユニット３０を、開口部２ｂを備えた前扉フレーム２ａに装着固定したことにより、部品点数の増加を抑えるとともに、組付け性を損なうことなく証紙３３を視認可能にできるスロットマシン１を構成することができる。
【０１６７】
また、前扉フレーム２ａにおける開口部２ｂの近傍に係止部２ｃを備え、証紙シート３２における第２シート部３２２の先端近傍に係止開口孔３２３を形成したことにより、スロットマシン１は、部品点数を増加することなく、受け皿本体３１からの証紙シート３２の脱落を防止することができる。
【０１６８】
具体的には、受け皿本体３１の前方部分３４１と右側方部分３４２との境界近傍において、証紙シート３２が屈曲するため、第２シート部３２２には、弾性部材による弾性力がスロットマシン１における右方向へ向けて作用する。このため、証紙シート３２は、弾性力によって、第２シート部３２２の係止開口孔３２３を前扉フレーム２ａの係止部２ｃに容易に係止することができる。
【０１６９】
これにより、スロットマシン１は、シート装着部Ｓに挿入した証紙シート３２を前扉フレーム２ａに容易に固定することができる。この際、証紙シート３２の弾性力によって、スロットマシン１は、係止開口孔３２３と係止部２ｃとの係止が容易に解除されることを防止できる。このため、スロットマシン１は、証紙シート３２の脱落を容易に防止することができる。
【０１７０】
さらに、スロットマシン１は、例えば、前扉フレーム２ａや受け皿本体３１と証紙シート３２とを固定する固定部材を別体で設けることを不要にできる。加えて、弾性力によって係止できるため、スロットマシン１は、第２シート部３２２の係止開口孔３２３を前扉フレーム２ａの係止部２ｃに係止する手間を省くことができる。
【０１７１】
従って、スロットマシン１は、証紙シート３２の弾性力によって、第２シート部３２２の係止開口孔３２３を前扉フレーム２ａの係止部２ｃに係止することで、部品点数を増加することなく、証紙シート３２の脱落を防止することができる。
【０１７２】
この発明の構成と、上述の実施形態との対応において、
この発明の遊技媒体は、実施形態のメダルに対応し、
以下同様に、
表示窓は、証紙表示窓３５に対応し、
遊技機は、スロットマシン１に対応し、
前面部分は、前方部分３４１に対応し、
側面部分は、右側方部分３４２に対応し、
開口部と連通する内部空間は、内部空間Ｓ１、及び内部空間Ｓ２に対応し、
側面部分の一端に第２シート部における一辺の長さは、上辺側長さＬ１に対応し、
側面部分の他端に対応する第２シート部における一辺の長さは、下辺側長さＬ２に対応し、
証紙の大きさよりも僅かに小さい範囲は、透過部分３２４に対応し、
案内部分は、案内壁３４２ｂ、及び案内板３４２ｃに対応するが、
この発明は、上述の実施形態の構成のみに限定されるものではなく、多くの実施の形態を得ることができる。
【０１７３】
例えば、上述の実施形態において、前扉フレーム２ａに装着する意匠パネルとは別体で設けた受け皿本体３１としたが、これに限定せず、前扉フレーム２ａに装着する意匠パネルと一体にした受け皿本体としてもよい。
【０１７４】
また、右側方部分３４２から前方部分３４１にかけてシート装着部Ｓを形成したが、これに限定せず、左側方部分３４３から前方部分３４１にかけて形成したシート装着部としてもよい。この際、前扉フレーム２ａの開口部２ｂ及び係止部２ｃは、前扉フレーム２ａの左側に形成する。
【０１７５】
また、側面視において、下方縁部に対して上方縁部が前方に位置するように傾斜させた前方部分３４１としたが、これに限定せず、側面視において、上方縁部に対して下方縁部が前方に位置するように傾斜させた前方部分としてもよい。
【０１７６】
この際、証紙シート３２は、第１シート部３２１の上辺及び下辺に対して、第２シート部３２２の上辺及び下辺が略斜め上方へ傾斜するようにして一体形成する。さらに、第１シート部３２１は、装着状態における上辺及び下辺に対応する２つの辺が、装着状態における下方に向けて凸するように僅かに湾曲させて形成する。加えて、証紙シート３２は、第２シート部３２２の下辺側長さに対して上辺側長さが短くなるように形成する。
【０１７７】
また、右側方部分３４２及び左側方部分３４３を、正面視において外側面が略鉛直で、平面視における前方側が左右方向Ｙの内側に向けて湾曲した形状としたが、これに限定せず、正面視において外側面が左右方向Ｙの外側に向けて傾斜した形状などとしてもよい。
【０１７８】
また、前扉フレーム２ａの係止部２ｃに係止する係止開口孔３２３を有する証紙シート３２としたが、これに限定せず、シート装着部Ｓの内部において係止可能な証紙シートとしてもよい。例えば、平面視において、第１シート部を倒位の略台形状に形成し、シート装着部Ｓの内部に係止されるようにしてもよい。  
また、証紙シート３２を黒色で塗装したが、これに限定せず、透過部分３２４からはみ出た証紙３３を視認不可に隠蔽できる不透明色であれば、適宜の色で着色してもよい。
【０１７９】
また、上下方向において、略同位置に配置された右側方部分３４２の内部空間Ｓ１と、前方部分３４１の内部空間Ｓ２とで構成したシート装着部Ｓに、第１シート部３２１と第２シート部３２２とが斜交するように一体形成した証紙シート３２を挿入する構成としたが、これに限定せず、受け皿本体３１において、右側方部分３４２の内部空間Ｓ１と前方部分３４１の内部空間Ｓ２とを斜交させて配置したシート装着部に対して、略帯状の証紙シートを挿入する構成としてもよい。
【０１８０】
これにより、部品点数の増加を抑えるとともに、組付け性を損なうことなく証紙を視認可能にできる。  
具体的には、貯留したメダルを取り出し易いように前方部分３４１が傾斜した受け皿本体３１に対して、略帯状の証紙シートを配置した場合、略帯状の証紙シートは、右側方部分３４２に位置する部分が前方部分３４１の傾斜によって上方に傾くように配置される。
【０１８１】
そこで、証紙シートの装着状態に対応するようにシート装着部を形成することにより、受け皿ユニット３０は、シート装着部と証紙シートとの接触抵抗を低減することができる。詳述すると、シート装着部は、右側方部分３４２に位置する部分が上方に傾くように配置された略帯状の証紙シートの装着状態と略同一あるいは略相似する形状に形成している。このため、シート装着部は、略帯状の証紙シートとの接触抵抗を低減でき、証紙シートの挿入を容易にすることができる。
【０１８２】
換言すると、シート装着部において、証紙シートが配置される仮想面を展開した展開形状は、前方部分３４１に対応する部分と右側方部分３４２に対応する部分とが連続する平面視略矩形の展開形状となる。すなわち、シート装着部の展開形状は、証紙シートの形状と略同一あるいは略相似形となる。これにより、受け皿ユニット３０は、シート装着部と証紙シートとの接触抵抗を低減して、略帯状の証紙シートをシート装着部にスムーズに挿入することができる。
【０１８３】
つまり、前方部分３４１が傾斜した受け皿本体３１において、上述した実施形態では、前方部分３４１に対応する部分と右側方部分３４２に対応する部分とが屈曲するように斜交した展開形状のシート装着部Ｓに、第１シート部３２１と第２シート部３２２とが斜交する証紙シート３２を挿入する構成により、受け皿ユニット３０は、シート装着部Ｓに対して証紙シート３２をスムーズに挿入することができるようにしている。
【０１８４】
これに対して、前方部分３４１に対応する部分と右側方部分３４２に対応する部分とが連続する平面視略矩形の展開形状のシート装着部に略帯状の証紙シートを挿入する構成により、受け皿ユニット３０は、上述した実施形態と同様の効果を奏することができる。
【０１８５】
さらに、受け皿ユニット３０は、証紙シート、証紙３３、及び受け皿本体３１で構成しているため、例えば、証紙３３が載置されるプレートや、該プレートを保持する保持部材など不要にして、部品点数を削減することができる。  
従って、受け皿ユニット３０は、証紙シートをスムーズに挿入できる形状にシート装着部を形成したことにより、部品点数の増加を抑えるとともに、組付け性を損なうことなく証紙３３を視認可能にできる。
【０１８６】
あるいは、証紙シートとシート装着部とがともに斜交するようにしてもよい。この際、斜交した形状の証紙シートを斜交したシート装着部に挿入することで、受け皿ユニット３０は、証紙シートとシート装着部との接触抵抗をより低減することができる。
【産業上の利用可能性】
【０１８７】
本発明は、スロットマシンの電源制御装置に限らず、パチンコ機などの遊技ホールに設置される遊技機における各種制御装置に適用することができる。
【符号の説明】
【０１８８】
１…スロットマシン
２…前扉
２ｂ…開口部
２ｃ…係止部
３０…受け皿ユニット
３１…受け皿本体
３２…証紙シート
３３…証紙
３５…証紙表示窓
３２１…第１シート部
３２２…第２シート部
３２３…係止開口孔
３２４…透過部分
３４１…前方部分
３４２…右側方部分
３４２ｂ…案内壁
３４２ｃ…案内板
Ｌ１…上辺側長さ
Ｌ２…下辺側長さ
Ｓ１…内部空間
Ｓ２…内部空間
Ｓ…シート装着部